(57)【要約】      （修正有）【課題】ハンドオーバーの間、ソース基地局とターゲット基地局の両方からデータを受信できるワイヤレス通信のための方法、システム、および、デバイスを提供する。【解決手段】ユーザ機器（ＵＥ）は、ターゲット基地局とのアクセス手順の実行が成功するまで、媒体アクセス制御（ＭＡＣ）およびパケットデータ収束プロトコル（ＰＤＣＰ）レイヤコンフィギュレーションをリセットまたは再確立することを止める。単一無線リンク制御（ＲＬＣ）／ＰＤＣＰスタックを、ハンドオーバー手順の間に使用する。ソース基地局は、ハンドオーバー実行メッセージを受信した後、ターゲット基地局にデータを転送してもよく、ＵＥは、移行の間に両方の基地局によって送られた任意の重複データを識別し、解消する。ＵＥはデュアルリンクハンドオーバーをサポートすることを示す（無線リソース制御（ＲＲＣ）コンフィギュレーションの間など）追加のシグナリングを使用できる。【選択図】図１３
2020010355.tif 000002
【特許請求の範囲】
【請求項１】
ワイヤレス通信の方法において、
ソース基地局からターゲット基地局へのハンドオーバーに関係付けられている接続再コンフィギュレーションメッセージを受信することと、
前記接続再コンフィギュレーションメッセージを受信した後、前記ソース基地局からのデータ送信を受信することと、
前記接続再コンフィギュレーションメッセージを受信することに少なくとも部分的に基づいて、前記ターゲット基地局とのアクセス手順を実行することと、
前記アクセス手順が成功したか否かを決定することと、
成功したアクセス手順に少なくとも部分的に基づいて、媒体アクセス制御（ＭＡＣ）コンフィギュレーションをリセットすることと、無線リンク制御（ＲＬＣ）コンフィギュレーションをリセットすることと、または、パケットデータ収束プロトコル（ＰＤＣＰ）コンフィギュレーションを再確立することと、または、これらの任意の組み合わせをすることとを含む方法。
【請求項２】
デュアルリンクハンドオーバー能力の表示を前記ソース基地局に送信することをさらに含み、
前記データ送信は、前記表示に少なくとも部分的に基づいて受信される請求項１記載の方法。
【請求項３】
前記デュアルリンクハンドオーバー能力は、短い待ち時間能力に関係付けられている請求項２記載の方法。
【請求項４】
前記リセットされたＭＡＣコンフィギュレーション、前記リセットされたＲＬＣコンフィギュレーション、前記再確立されたＰＤＣＰコンフィギュレーション、または、これらの任意の組み合わせに少なくとも部分的に基づいて、前記ターゲット基地局からの後続データ送信を受信することをさらに含む請求項１記載の方法。
【請求項５】
前記データ送信および前記後続データ送信は、同じＲＬＣ／ＰＤＣＰスタックを使用する請求項４記載の方法。
【請求項６】
前記ＭＡＣコンフィギュレーションをリセットすること、前記ＲＬＣコンフィギュレーションをリセットすること、または、前記ＰＤＣＰコンフィギュレーションを再確立すること、または、これらの任意の組み合わせをすることより前に、前記ターゲット基地局からの第２のデータ送信を受信することをさらに含む請求項１記載の方法。
【請求項７】
前記第２のデータ送信は、ソース基地局暗号化送信である請求項６記載の方法。
【請求項８】
前記第２のデータ送信は、前記ソース基地局からの前記データ送信と同じ論理チャネルに対応する請求項６記載の方法。
【請求項９】
前記接続再コンフィギュレーションメッセージを受信することに少なくとも部分的に基づいて、無線リンクモニタリング（ＲＬＭ）手順を抑制することをさらに含む請求項１記載の方法。
【請求項１０】
前記アクセス手順が成功しなかったという決定に少なくとも部分的に基づいて、前記ソース基地局との前記ＲＬＭ手順を再開することをさらに含む請求項９記載の方法。
【請求項１１】
前記アクセス手順が成功したという決定に少なくとも部分的に基づいて、前記ターゲット基地局との前記ＲＬＭ手順を再開することをさらに含む請求項９記載の方法。
【請求項１２】
前記アクセス手順が成功しなかったという決定に少なくとも部分的に基づいて、前記接続再コンフィギュレーションメッセージをパージすることと、
前記ソース基地局との通信を継続することとをさらに含む請求項１記載の方法。
【請求項１３】
前記アクセス手順が成功したという決定は、前記ターゲット基地局からコンテンション解消メッセージを受信することを含む請求項１記載の方法。
【請求項１４】
ソース基地局におけるワイヤレス通信の方法において、
前記ソース基地局によって、ワイヤレスデバイスのハンドオーバーに関係付けられている接続再コンフィギュレーションメッセージをターゲット基地局に送ることと、
前記接続再コンフィギュレーションメッセージを送った後、データ送信を前記ワイヤレスデバイスに送ることと、
前記ワイヤレスデバイスが前記ターゲット基地局に対するアクセス手順の実行に成功した後、前記ターゲット基地局または前記ワイヤレスデバイスからハンドオーバー実行メッセージを受信することとを含む方法。
【請求項１５】
前記ワイヤレスデバイスからデュアルリンクハンドオーバー能力の表示を受信することをさらに含み、前記データ送信は、前記表示に少なくとも部分的に基づいて送られる請求項１４記載の方法。
【請求項１６】
前記デュアルリンクハンドオーバー能力は、短い待ち時間能力に関係付けられている請求項１５記載の方法。
【請求項１７】
前記デュアルリンクハンドオーバー能力の表示を前記ターゲット基地局に送ることをさらに含む請求項１５記載の方法。
【請求項１８】
前記ハンドオーバー実行メッセージを受信することに応答して、前記ワイヤレスデバイスへの送信を停止することをさらに含む請求項１４記載の方法。
【請求項１９】
前記ハンドオーバー実行メッセージに応答して、シーケンス番号（ＳＮ）ステータス転送メッセージまたはベアラデータメッセージを前記ターゲット基地局に送信することをさらに含む請求項１４記載の方法。
【請求項２０】
ソース基地局におけるワイヤレス通信の方法において、
ワイヤレスデバイスからデュアルリンクハンドオーバー能力の表示を受信することと、
ターゲット基地局がデュアルリンクハンドオーバーをサポートしないと決定することと、
前記ターゲット基地局がデュアルリンクハンドオーバーをサポートしないという決定に少なくとも部分的に基づいて、前記ワイヤレスデバイスのハンドオーバーに関係付けられている接続再コンフィギュレーションメッセージの前記ターゲット基地局への送信を止めることとを含む方法。
【請求項２１】
ターゲット基地局におけるワイヤレス通信の方法において、
前記ターゲット基地局によって、ソース基地局からハンドオーバー準備要求を受信することと、
ワイヤレスデバイスからアクセス要求を受信することと、
前記アクセス要求に少なくとも部分的に基づいて、前記ワイヤレスデバイスから接続再コンフィギュレーション完了メッセージを受信することと、
前記接続再コンフィギュレーション完了メッセージに少なくとも部分的に基づいて、ハンドオーバー実行メッセージを前記ソース基地局に送信することとを含む方法。
【請求項２２】
前記ソース基地局からデュアルリンクハンドオーバー能力の表示を受信することをさらに含み、データ送信は、前記表示に少なくとも部分的に基づいて送られる請求項２１記載の方法。
【請求項２３】
前記デュアルリンクハンドオーバー能力は、短い待ち時間能力に関係付けられている請求項２２記載の方法。
【請求項２４】
前記ハンドオーバー実行メッセージに応答して、前記ソース基地局からシーケンス番号（ＳＮ）ステータス転送メッセージまたはベアラデータメッセージを受信することをさらに含む請求項２１記載の方法。
【請求項２５】
前記ＳＮステータス転送メッセージまたは前記ベアラデータメッセージを受信することに少なくとも部分的に基づいて、データ送信を前記ワイヤレスデバイスに送ることをさらに含む請求項２４記載の方法。
【請求項２６】
前記接続再コンフィギュレーション完了メッセージを受信するより前に、ソース基地局暗号化送信を前記ワイヤレスデバイスに送ることをさらに含む請求項２１記載の方法。
【請求項２７】
ワイヤレス通信のための装置において、
ソース基地局からターゲット基地局へのハンドオーバーに関係付けられている接続再コンフィギュレーションメッセージを受信する手段と、
前記接続再コンフィギュレーションメッセージを受信した後、前記ソース基地局からのデータ送信を受信する手段と、
前記接続再コンフィギュレーションメッセージを受信することに少なくとも部分的に基づいて、前記ターゲット基地局とのアクセス手順を実行する手段と、
前記アクセス手順が成功したか否かを決定する手段と、
成功したアクセス手順に少なくとも部分的に基づいて、媒体アクセス制御（ＭＡＣ）コンフィギュレーションをリセットし、無線リンク制御（ＲＬＣ）コンフィギュレーションをリセットし、または、パケットデータ収束プロトコル（ＰＤＣＰ）コンフィギュレーションを再確立し、または、これらの任意の組み合わせをする手段とを具備する装置。
【請求項２８】
デュアルリンクハンドオーバー能力の表示を前記ソース基地局に送信する手段をさらに具備し、前記データ送信は、前記表示に少なくとも部分的に基づいて受信される請求項２７記載の装置。
【請求項２９】
前記デュアルリンクハンドオーバー能力は、短い待ち時間能力に関係付けられている請求項２８記載の装置。
【請求項３０】
前記リセットされたＭＡＣコンフィギュレーション、前記リセットされたＲＬＣコンフィギュレーション、前記再確立されたＰＤＣＰコンフィギュレーション、または、これらの任意の組み合わせに少なくとも部分的に基づいて、前記ターゲット基地局からの後続データ送信を受信する手段をさらに具備する請求項２７記載の装置。
【請求項３１】
前記データ送信および前記後続データ送信は、同じＲＬＣ／ＰＤＣＰスタックを使用する請求項３０記載の装置。
【請求項３２】
ソース基地局におけるワイヤレス通信のための装置において、
前記ソース基地局によって、ワイヤレスデバイスのハンドオーバーに関係付けられている接続再コンフィギュレーションメッセージをターゲット基地局に送る手段と、
前記接続再コンフィギュレーションメッセージを送った後、データ送信を前記ワイヤレスデバイスに送る手段と、
前記ワイヤレスデバイスが前記ターゲット基地局に対するアクセス手順の実行に成功した後、前記ターゲット基地局または前記ワイヤレスデバイスからハンドオーバー実行メッセージを受信する手段とを具備する装置。
【請求項３３】
前記ワイヤレスデバイスからデュアルリンクハンドオーバー能力の表示を受信する手段をさらに具備し、前記データ送信は、前記表示に少なくとも部分的に基づいて送られる請求項３２記載の装置。
【請求項３４】
前記デュアルリンクハンドオーバー能力は、短い待ち時間能力に関係付けられている請求項３３記載の装置。
【請求項３５】
前記デュアルリンクハンドオーバー能力の表示を前記ターゲット基地局に送る手段をさらに具備する請求項３３記載の装置。
【請求項３６】
前記ハンドオーバー実行メッセージに応答して、シーケンス番号（ＳＮ）ステータス転送メッセージまたはベアラデータメッセージを前記ターゲット基地局に送信する手段をさらに具備する請求項３２記載の装置。
【請求項３７】
前記ハンドオーバー実行メッセージを受信することに応答して、前記ワイヤレスデバイスへの送信を停止する手段をさらに具備する請求項３２記載の装置。
【請求項３８】
ソース基地局におけるワイヤレス通信のための装置において、
ワイヤレスデバイスからデュアルリンクハンドオーバー能力の表示を受信する手段と、
ターゲット基地局がデュアルリンクハンドオーバーをサポートしないと決定する手段と、
前記ターゲット基地局がデュアルリンクハンドオーバーをサポートしないという決定に少なくとも部分的に基づいて、前記ワイヤレスデバイスのハンドオーバーに関係付けられている接続再コンフィギュレーションメッセージの前記ターゲット基地局への送信を止める手段とを具備する装置。
【請求項３９】
ターゲット基地局におけるワイヤレス通信のための装置において、
前記ターゲット基地局によって、ソース基地局からハンドオーバー準備要求を受信する手段と、
ワイヤレスデバイスからアクセス要求を受信する手段と、
前記アクセス要求に少なくとも部分的に基づいて、前記ワイヤレスデバイスから接続再コンフィギュレーション完了メッセージを受信する手段と、
前記接続再コンフィギュレーション完了メッセージに少なくとも部分的に基づいて、ハンドオーバー実行メッセージを前記ソース基地局に送信する手段とを具備する装置。
【請求項４０】
ハンドオーバー能力の表示を前記ソース基地局に送信する手段をさらに具備する請求項３９記載の装置。
【請求項４１】
前記ソース基地局からデュアルリンクハンドオーバー能力の表示を受信する手段をさらに具備する請求項３９記載の装置。
【請求項４２】
ワイヤレス通信のための装置において、
プロセッサと、
前記プロセッサと電子通信するメモリと、
前記メモリ中に記憶されている命令とを具備し、
前記命令は、前記装置に、
ソース基地局からターゲット基地局へのハンドオーバーに関係付けられている接続再コンフィギュレーションメッセージを受信させ、
前記接続再コンフィギュレーションメッセージを受信させた後、前記ソース基地局からのデータ送信を受信させ、
前記接続再コンフィギュレーションメッセージを受信させることに少なくとも部分的に基づいて、前記ターゲット基地局とのアクセス手順を実行させ、
前記アクセス手順が成功したか否かを決定させ、
成功したアクセス手順に少なくとも部分的に基づいて、媒体アクセス制御（ＭＡＣ）コンフィギュレーションをリセットさせ、無線リンク制御（ＲＬＣ）コンフィギュレーションをリセットさせ、または、パケットデータ収束プロトコル（ＰＤＣＰ）コンフィギュレーションを再確立させ、または、これらの任意の組み合わせをさせるように、前記プロセッサによって実行可能である装置。
【請求項４３】
前記命令は、前記装置に、
デュアルリンクハンドオーバー能力の表示を前記ソース基地局に送信させ、
前記表示に少なくとも部分的に基づいて、前記データ送信を受信させるように、前記プロセッサによって実行可能である請求項４２記載の装置。
【請求項４４】
前記デュアルリンクハンドオーバー能力は、短い待ち時間能力に関係付けられている請求項４３記載の装置。
【請求項４５】
前記命令は、前記装置に、
前記リセットされたＭＡＣコンフィギュレーション、前記リセットされたＲＬＣコンフィギュレーション、前記再確立されたＰＤＣＰコンフィギュレーション、または、これらの任意の組み合わせに少なくとも部分的に基づいて、前記ターゲット基地局からの後続データ送信を受信させるように、前記プロセッサによって実行可能である請求項４２記載の装置。
【請求項４６】
前記データ送信および前記後続データ送信は、同じＲＬＣ／ＰＤＣＰスタックを使用する請求項４５記載の装置。
【請求項４７】
前記命令は、前記装置に、
前記ＭＡＣコンフィギュレーションをリセットさせ、前記ＲＬＣコンフィギュレーションをリセットさせ、または、前記ＰＤＣＰコンフィギュレーションを再確立させ、または、これらの任意の組み合わせをさせるより前に、前記ターゲット基地局からの第２のデータ送信を受信させるように、前記プロセッサによって実行可能である請求項４２記載の装置。
【請求項４８】
前記第２のデータ送信は、ソース基地局暗号化送信である請求項４７記載の装置。
【請求項４９】
前記第２のデータ送信は、前記ソース基地局からの前記データ送信と同じ論理チャネルに対応する請求項４７記載の装置。
【請求項５０】
前記命令は、前記装置に、
前記接続再コンフィギュレーションメッセージを受信させることに少なくとも部分的に基づいて、無線リンクモニタリング（ＲＬＭ）手順を抑制させるように、前記プロセッサによって実行可能である請求項４２記載の装置。
【請求項５１】
前記命令は、前記装置に、
前記ターゲット基地局からコンテンション解消メッセージを受信させ、
前記コンテンション解消メッセージに少なくとも部分的に基づいて、前記アクセス手順が成功したと決定させるように、前記プロセッサによって実行可能である請求項４２記載の装置。
【請求項５２】
ソース基地局におけるワイヤレス通信のための装置において、
プロセッサと、
前記プロセッサと電子通信するメモリと、
前記メモリ中に記憶されている命令とを具備し、
前記命令は、前記装置に、
ワイヤレスデバイスのハンドオーバーに関係付けられている接続再コンフィギュレーションメッセージをターゲット基地局に送らせ、
前記接続再コンフィギュレーションメッセージを送らせた後、データ送信を前記ワイヤレスデバイスに送らせ、
前記ワイヤレスデバイスが前記ターゲット基地局に対するアクセス手順の実行に成功した後、前記ターゲット基地局または前記ワイヤレスデバイスからハンドオーバー実行メッセージを受信させるように、前記プロセッサによって実行可能である装置。
【請求項５３】
前記命令は、前記装置に、
前記ワイヤレスデバイスからデュアルリンクハンドオーバー能力の表示を受信させ、
前記表示に少なくとも部分的に基づいて、前記データ送信を送らせるように、前記プロセッサによって実行可能である請求項５２記載の装置。
【請求項５４】
前記デュアルリンクハンドオーバー能力は、短い待ち時間能力に関係付けられている請求項５３記載の装置。
【請求項５５】
前記命令は、前記装置に、
前記デュアルリンクハンドオーバー能力の表示を前記ターゲット基地局に送らせるように、前記プロセッサによって実行可能である請求項５３記載の装置。
【請求項５６】
前記命令は、前記装置に、
前記ハンドオーバー実行メッセージを受信させることに応答して、前記ワイヤレスデバイスへの送信を停止させるように、前記プロセッサによって実行可能である請求項５３記載の装置。
【請求項５７】
前記命令は、
前記ハンドオーバー実行メッセージに応答して、シーケンス番号（ＳＮ）ステータス転送メッセージまたはベアラデータメッセージを前記ターゲット基地局に送信させるように動作可能である請求項５２記載の装置。
【請求項５８】
ソース基地局におけるワイヤレス通信のための装置において、
プロセッサと、
前記プロセッサと電子通信するメモリと、
前記メモリ中に記憶されている命令とを具備し、
前記命令は、前記装置に、
ワイヤレスデバイスからデュアルリンクハンドオーバー能力の表示を受信させ、
ターゲット基地局がデュアルリンクハンドオーバーをサポートしないと決定させ、
前記ターゲット基地局がデュアルリンクハンドオーバーをサポートしないという決定に少なくとも部分的に基づいて、前記ワイヤレスデバイスのハンドオーバーに関係付けられている接続再コンフィギュレーションメッセージの前記ターゲット基地局への送信を止めさせるように、前記プロセッサによって実行可能である装置。
【請求項５９】
ターゲット基地局におけるワイヤレス通信のための装置において、
プロセッサと、
前記プロセッサと電子通信するメモリと、
前記メモリ中に記憶されている命令とを具備し、
前記命令は、前記装置に、
ソース基地局からハンドオーバー準備要求を受信させ、
ワイヤレスデバイスからアクセス要求を受信させ、
前記アクセス要求に少なくとも部分的に基づいて、前記ワイヤレスデバイスから接続再コンフィギュレーション完了メッセージを受信させ、
前記接続再コンフィギュレーション完了メッセージに少なくとも部分的に基づいて、ハンドオーバー実行メッセージを前記ソース基地局に送信させるように、前記プロセッサによって実行可能である装置。
【請求項６０】
前記命令は、前記装置に、
ハンドオーバー能力の表示を前記ソース基地局に送信させるように、前記プロセッサによって実行可能である請求項５９記載の装置。
【請求項６１】
前記命令は、前記装置に、
前記ソース基地局からデュアルリンクハンドオーバー能力の表示を受信させるように、前記プロセッサによって実行可能である請求項５９記載の装置。
【請求項６２】
前記デュアルリンクハンドオーバー能力は、短い待ち時間能力に関係付けられている請求項６１記載の装置。
【請求項６３】
前記命令は、前記装置に、
前記ハンドオーバー実行メッセージに応答して、前記ソース基地局からシーケンス番号（ＳＮ）ステータス転送メッセージまたはベアラデータメッセージを受信させるように、前記プロセッサによって実行可能である請求項５９記載の装置。
【請求項６４】
前記命令は、前記装置に、
前記ＳＮステータス転送メッセージまたは前記ベアラデータメッセージを受信させることに少なくとも部分的に基づいて、データ送信を前記ワイヤレスデバイスに送らせるように、前記プロセッサによって実行可能である請求項６３記載の装置。
【請求項６５】
前記命令は、前記装置に、
前記接続再コンフィギュレーション完了メッセージを受信させるより前に、ソース基地局暗号化送信を前記ワイヤレスデバイスに送らせるように、前記プロセッサによって実行可能である請求項５９記載の装置。
【請求項６６】
ワイヤレス通信のためのコードを記憶している非一時的コンピュータ読取可能媒体において、前記コードは、
ソース基地局からターゲット基地局へのハンドオーバーに関係付けられている接続再コンフィギュレーションメッセージを受信するようにと、
前記接続再コンフィギュレーションメッセージを受信した後、前記ソース基地局からのデータ送信を受信するようにと、
前記接続再コンフィギュレーションメッセージを受信することに少なくとも部分的に基づいて、前記ターゲット基地局とのアクセス手順を実行するようにと、
前記アクセス手順が成功したか否かを決定するようにと、
成功したアクセス手順に少なくとも部分的に基づいて、媒体アクセス制御（ＭＡＣ）コンフィギュレーションをリセットするように、無線リンク制御（ＲＬＣ）コンフィギュレーションをリセットするように、または、パケットデータ収束プロトコル（ＰＤＣＰ）コンフィギュレーションを再確立するように、または、これらの任意の組み合わせをするように実行可能な命令を含む非一時的コンピュータ読取可能媒体。
【請求項６７】
ソース基地局におけるワイヤレス通信のためのコードを記憶している非一時的コンピュータ読取可能媒体において、前記コードは、
前記ソース基地局によって、ワイヤレスデバイスのハンドオーバーに関係付けられている接続再コンフィギュレーションメッセージをターゲット基地局に送るようにと、
前記接続再コンフィギュレーションメッセージを送った後、データ送信を前記ワイヤレスデバイスに送るようにと、
前記ワイヤレスデバイスが前記ターゲット基地局に対するアクセス手順の実行に成功した後、前記ターゲット基地局または前記ワイヤレスデバイスからハンドオーバー実行メッセージを受信するように実行可能な命令を含む非一時的コンピュータ読取可能媒体。
【請求項６８】
ソース基地局におけるワイヤレス通信のためのコードを記憶している非一時的コンピュータ読取可能媒体において、前記コードは、
ワイヤレスデバイスからデュアルリンクハンドオーバー能力の表示を受信するようにと、
ターゲット基地局がデュアルリンクハンドオーバーをサポートしないと決定するようにと、
前記ターゲット基地局がデュアルリンクハンドオーバーをサポートしないという決定に少なくとも部分的に基づいて、前記ワイヤレスデバイスのハンドオーバーに関係付けられている接続再コンフィギュレーションメッセージの前記ターゲット基地局への送信を止めるように実行可能な命令を含む非一時的コンピュータ読取可能媒体。
【請求項６９】
ターゲット基地局におけるワイヤレス通信のためのコードを記憶している非一時的コンピュータ読取可能媒体において、前記コードは、
前記ターゲット基地局によって、ソース基地局からハンドオーバー準備要求を受信するようにと、
ワイヤレスデバイスからアクセス要求を受信するようにと、
前記アクセス要求に少なくとも部分的に基づいて、前記ワイヤレスデバイスから接続再コンフィギュレーション完了メッセージを受信するようにと、
前記接続再コンフィギュレーション完了メッセージに少なくとも部分的に基づいて、ハンドオーバー実行メッセージを前記ソース基地局に送信するように実行可能な命令を含む非一時的コンピュータ読取可能媒体。
【発明の詳細な説明】
【相互参照】
【０００１】
［０００１］
本特許出願は、２０１６年２月１日に出願された、「デュアルリンクハンドオーバー」と題された、Ｏｚｔｕｒｋ氏他による米国特許出願番号第１５／０１２，０６２号、および、２０１５年３月４日に出願された、「デュアルリンクハンドオーバー」と題された、Ｏｚｔｕｒｋ氏他による米国仮特許出願第６２／１２８，０９４号に対する優先権を主張し、そのそれぞれは、この譲受人に譲渡されている。
【背景】
【０００２】
［０００２］
以下は、一般的にワイヤレス通信に関連し、より具体的には、デュアルリンクハンドオーバーに関連する。ワイヤレス通信システムは、音声、ビデオ、パケットデータ、メッセージング、ブロードキャスト等のような、さまざまなタイプの通信コンテンツを提供するために広く配備されている。これらのシステムは、利用可能なシステムリソース（例えば、時間、周波数、および電力）を共有することによって、複数のユーザとの通信をサポートすることができてもよい。このような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、（例えば、ロングタームエボリューション（ＬＴＥ（登録商標））システム）を含む。ワイヤレス多元接続通信システムは、多数の基地局を含んでいてもよく、それぞれは、別な方法ではユーザ機器（ＵＥ）として知られているかもしれない複数の通信デバイスに対する通信を同時にサポートする。
【０００３】
［０００３］
いくつかのケースでは、ＵＥは１つの担当基地局から別の担当基地局に移行されてもよい。ＵＥは、ターゲット基地局との新たな接続を確立する前に、ソース基地局とのその接続を終了するかもしれない。これは、結果として、ユーザの通信を中断するかもしれない遅延となるかもしれない。
【概要】
【０００４】
［０００４］
デュアルリンクハンドオーバーをサポートする方法、システム、およびデバイスを説明する。ワイヤレス通信システム内のＵＥは、ハンドオーバー手順に関係付けられている接続再コンフィギュレーションメッセージを受信してもよく、ＵＥは、接続再コンフィギュレーションメッセージを受信した後で、ハンドオーバーに取り掛かるまたはハンドオーバーを完了する前に、ソース基地局からのデータ送信を受信し続けてもよい。例えば、ＵＥは、接続再コンフィギュレーションメッセージを受信した後、ターゲット基地局とのアクセス手順の実行に成功してもよく、ＵＥは、アクセス手順の成功が完了するまで、あるコンフィギュレーション−例えば、媒体アクセス制御（ＭＡＣ）、パケットデータ収束プロトコル（ＰＤＣＰ）、無線リンク制御（ＲＬＣ）等−をリセットすることまたは再確立することを遅延してもよい。
【０００５】
［０００５］
ワイヤレス通信の方法を説明する。方法は、ソース基地局からターゲット基地局へのハンドオーバーに関係付けられている接続再コンフィギュレーションメッセージを受信することと、接続再コンフィギュレーションメッセージを受信した後、ソース基地局からのデータ送信を受信することと、接続再コンフィギュレーションメッセージに少なくとも部分的に基づいて、ターゲット基地局とのアクセス手順を実行することと、成功したアクセス手順に少なくとも部分的に基づいて、ＭＡＣコンフィギュレーションをリセットすることと、ＲＬＣコンフィギュレーションをリセットすることと、または、ＰＤＣＰコンフィギュレーションを再確立することと、または、これらの任意の組み合わせをすることとを含んでいてもよい。
【０００６】
［０００６］
ワイヤレス通信のための装置を説明する。装置は、ソース基地局からターゲット基地局へのハンドオーバーに関係付けられている接続再コンフィギュレーションメッセージを受信する手段と、接続再コンフィギュレーションメッセージを受信した後、ソース基地局からのデータ送信を受信する手段と、接続再コンフィギュレーションメッセージに少なくとも部分的に基づいて、ターゲット基地局とのアクセス手順を実行する手段と、成功したアクセス手順に少なくとも部分的に基づいて、ＭＡＣコンフィギュレーションをリセットし、ＲＬＣコンフィギュレーションをリセットし、または、ＰＤＣＰコンフィギュレーションを再確立し、または、これらの任意の組み合わせをする手段とを含んでいてもよい。
【０００７】
［０００７］
ワイヤレス通信のためのさらなる装置を説明する。装置は、プロセッサと、プロセッサと電子通信するメモリと、メモリ中に記憶されている命令とを含んでいてもよく、命令は、プロセッサによって実行されるときに、装置に、ソース基地局からターゲット基地局へのハンドオーバーに関係付けられている接続再コンフィギュレーションメッセージを受信させ、接続再コンフィギュレーションメッセージを受信させた後、ソース基地局からのデータ送信を受信させ、接続再コンフィギュレーションメッセージに少なくとも部分的に基づいて、ターゲット基地局とのアクセス手順を実行させ、成功したアクセス手順に少なくとも部分的に基づいて、ＭＡＣコンフィギュレーションをリセットさせ、ＲＬＣコンフィギュレーションをリセットさせ、または、ＰＤＣＰコンフィギュレーションを再確立させ、または、これらの任意の組み合わせをさせるように動作可能である。
【０００８】
［０００８］
ワイヤレス通信のためのコードを記憶している非一時的コンピュータ読取可能媒体を説明する。コードは、ソース基地局からターゲット基地局へのハンドオーバーに関係付けられている接続再コンフィギュレーションメッセージを受信するようにと、接続再コンフィギュレーションメッセージを受信した後、ソース基地局からのデータ送信を受信するようにと、接続再コンフィギュレーションメッセージに少なくとも部分的に基づいて、ターゲット基地局とのアクセス手順を実行するようにと、成功したアクセス手順に少なくとも部分的に基づいて、ＭＡＣコンフィギュレーションをリセットするように、ＲＬＣコンフィギュレーションをリセットするように、または、ＰＤＣＰコンフィギュレーションを再確立するように、または、これらの任意の組み合わせをするように実行可能な命令を含んでいてもよい。
【０００９】
［０００９］
ここで説明する方法、装置、または、非一時的コンピュータ読取可能媒体のうちのいくつかの例は、ソース基地局へのデュアルリンクハンドオーバー能力の表示を送信するためのプロセス、特徴、手段、または、命令をさらに含んでいてもよく、データ送信は、表示に応答して受信される。追加的にまたは代替的に、いくつかの例において、デュアルリンクハンドオーバー能力は、短い待ち時間能力に関係付けられている。
【００１０】
［００１０］
ここで説明する方法、装置、または、非一時的コンピュータ読取可能媒体のうちのいくつかの例は、リセットされたＭＡＣコンフィギュレーション、リセットされたＲＬＣコンフィギュレーション、再確立されたＰＤＣＰコンフィギュレーション、または、これらの任意の組み合わせに少なくとも部分的に基づいて、ターゲット基地局からの後続データ送信を受信するためのプロセス、特徴、手段、または、命令をさらに含んでいてもよい。追加的にまたは代替的に、いくつかの例において、データ送信および後続データ送信は、同じＲＬＣ／ＰＤＣＰスタックを使用する。
【００１１】
［００１１］
ここで説明する方法、装置、または、非一時的コンピュータ読取可能媒体のうちのいくつかの例は、ＭＡＣコンフィギュレーションをリセットすること、ＲＬＣコンフィギュレーションをリセットすること、または、ＰＤＣＰコンフィギュレーションを再確立すること、または、これらの任意の組み合わせをすることより前に、ターゲット基地局からの第２のデータ送信を受信するためのプロセス、特徴、手段、または、命令をさらに含んでいてもよい。追加的にまたは代替的に、いくつかの例において、第２のデータ送信は、基地局暗号化送信である。
【００１２】
［００１２］
ここで説明する方法、装置、または、非一時的コンピュータ読取可能媒体のうちのいくつかの例において、第２のデータ送信は、ソース基地局からのデータ送信と同じ論理チャネルに対応する。追加的にまたは代替的に、いくつかの例は、接続再コンフィギュレーションメッセージを受信することに少なくとも部分的に基づいて、無線リンクモニタリング（ＲＬＭ）手順を抑制するためのプロセス、特徴、手段、または、命令を含んでいてもよい。
【００１３】
［００１３］
ここで説明する方法、装置、または、非一時的コンピュータ読取可能媒体のうちのいくつかの例は、アクセス手順が成功しなかったという決定に少なくとも部分的に基づいて、ソース基地局とのＲＬＭ手順を再開するためのプロセス、特徴、手段、または、命令をさらに含んでいてもよい。追加的にまたは代替的に、いくつかの例は、アクセス手順が成功したという決定に少なくとも部分的に基づいて、ターゲット基地局とのＲＬＭ手順を再開するためのプロセス、特徴、手段、または、命令を含んでいてもよい。
【００１４】
［００１４］
ここで説明する方法、装置、または、非一時的コンピュータ読取可能媒体のうちのいくつかの例は、アクセス手順が成功しなかったという決定に少なくとも部分的に基づいて、接続再コンフィギュレーションメッセージをパージし、ソース基地局との通信を継続するためのプロセス、特徴、手段、または、命令をさらに含んでいてもよい。ここで説明する方法、装置、または、非一時的コンピュータ読取可能媒体のうちのいくつかの例において、アクセス手順が成功したという決定は、ターゲット基地局からコンテンション解消メッセージを受信することを備えている。
【００１５】
［００１５］
ワイヤレス通信の方法を説明する。方法は、ワイヤレスデバイスのハンドオーバーに関係付けられている接続再コンフィギュレーションメッセージをターゲット基地局に送ることと、接続再コンフィギュレーションメッセージを送った後、データ送信をワイヤレスデバイスに送ることと、ワイヤレスデバイスがターゲット基地局に対するアクセス手順の実行に成功した後、ターゲット基地局からハンドオーバー実行メッセージを受信することとを含んでいてもよい。
【００１６】
［００１６］
ワイヤレス通信のための装置を説明する。装置は、ワイヤレスデバイスのハンドオーバーに関係付けられている接続再コンフィギュレーションメッセージをターゲット基地局に送る手段と、接続再コンフィギュレーションメッセージを送った後、データ送信をワイヤレスデバイスに送る手段と、ワイヤレスデバイスがターゲット基地局に対するアクセス手順の実行に成功した後、ターゲット基地局からハンドオーバー実行メッセージを受信する手段とを含んでいてもよい。
【００１７】
［００１７］
ワイヤレス通信のためのさらなる装置を説明する。装置は、プロセッサと、プロセッサと電子通信するメモリと、メモリ中に記憶されている命令とを含んでいてもよく、命令は、プロセッサによって実行されるときに、装置に、ワイヤレスデバイスのハンドオーバーに関係付けられている接続再コンフィギュレーションメッセージをターゲット基地局に送らせ、接続再コンフィギュレーションメッセージを送らせた後、データ送信をワイヤレスデバイスに送らせ、ワイヤレスデバイスがターゲット基地局に対するアクセス手順の実行に成功した後、ターゲット基地局からハンドオーバー実行メッセージを受信させるように動作可能である。
【００１８】
［００１８］
ワイヤレス通信のためのコードを記憶している非一時的コンピュータ読取可能媒体を説明する。コードは、ワイヤレスデバイスのハンドオーバーに関係付けられている接続再コンフィギュレーションメッセージをターゲット基地局に送るようにと、接続再コンフィギュレーションメッセージを送った後、データ送信をワイヤレスデバイスに送るようにと、ワイヤレスデバイスがターゲット基地局に対するアクセス手順の実行に成功した後、ターゲット基地局からハンドオーバー実行メッセージを受信するように実行可能な命令を含んでいてもよい。
【００１９】
［００１９］
ここで説明する方法、装置、または、非一時的コンピュータ読取可能媒体のうちのいくつかの例は、ワイヤレスデバイスからデュアルリンクハンドオーバー能力の表示を受信するためのプロセス、特徴、手段、または、命令をさらに含んでいてもよく、データ送信は、表示に少なくとも部分的に基づいて送られる。追加的にまたは代替的に、いくつかの例では、デュアルリンクハンドオーバー能力は、短い待ち時間能力に関係付けられている。ここで説明する方法、装置、または、非一時的コンピュータ読取可能媒体のうちのいくつかの例は、ハンドオーバー実行メッセージを受信することに応答して、ワイヤレスデバイスへの送信を停止するためのプロセス、特徴、手段、または、命令をさらに含んでいてもよい。
【００２０】
［００２０］
ここで説明する方法、装置、または、非一時的コンピュータ読取可能媒体のうちのいくつかの例は、デュアルリンクハンドオーバー能力の表示をターゲット基地局に送るためのプロセス、特徴、手段、または、命令をさらに含んでいてもよい。追加的にまたは代替的に、いくつかの例は、ハンドオーバー実行メッセージに応答して、シーケンス番号（ＳＮ）ステータス転送メッセージまたはベアラデータメッセージをターゲット基地局に送信するためのプロセス、特徴、手段、または、命令を含んでいてもよい。
【００２１】
［００２１］
ワイヤレス通信の方法を説明する。方法は、ワイヤレスデバイスからデュアルリンクハンドオーバー能力の表示を受信することと、ターゲット基地局がデュアルリンクハンドオーバーをサポートしないと決定することと、ターゲット基地局がデュアルリンクハンドオーバーをサポートしないという決定に少なくとも部分的に基づいて、ワイヤレスデバイスのハンドオーバーに関係付けられている接続再コンフィギュレーションメッセージのターゲット基地局への送信を止めることとを含んでいてもよい。
【００２２】
［００２２］
ワイヤレス通信のための装置を説明する。装置は、ワイヤレスデバイスからデュアルリンクハンドオーバー能力の表示を受信する手段と、ターゲット基地局がデュアルリンクハンドオーバーをサポートしないと決定する手段と、決定に少なくとも部分的に基づいて、ワイヤレスデバイスのハンドオーバーに関係付けられている接続再コンフィギュレーションメッセージのターゲット基地局への送信を止める手段とを含んでいてもよい。
【００２３】
［００２３］
ワイヤレス通信のためのさらなる装置を説明する。装置は、プロセッサと、プロセッサと電子通信するメモリと、メモリ中に記憶されている命令とを含んでいてもよく、命令は、プロセッサによって実行されるときに、装置に、ワイヤレスデバイスからデュアルリンクハンドオーバー能力の表示を受信させ、ターゲット基地局がデュアルリンクハンドオーバーをサポートしないと決定させ、決定に少なくとも部分的に基づいて、ワイヤレスデバイスのハンドオーバーに関係付けられている接続再コンフィギュレーションメッセージのターゲット基地局への送信を止めさせるように動作可能である。
【００２４】
［００２４］
ワイヤレス通信のためのコードを記憶している非一時的コンピュータ読取可能媒体を説明する。コードは、ワイヤレスデバイスからデュアルリンクハンドオーバー能力の表示を受信するようにと、ターゲット基地局がデュアルリンクハンドオーバーをサポートしないと決定するようにと、決定に少なくとも部分的に基づいて、ワイヤレスデバイスのハンドオーバーに関係付けられている接続再コンフィギュレーションメッセージのターゲット基地局への送信を止めるように実行可能な命令を含んでいてもよい。
【００２５】
［００２５］
ワイヤレス通信の方法を説明する。方法は、ソース基地局からハンドオーバー準備要求を受信することと、ワイヤレスデバイスからアクセス要求を受信することと、アクセス要求に少なくとも部分的に基づいて、ワイヤレスデバイスから接続再コンフィギュレーション完了メッセージを受信することと、接続再コンフィギュレーション完了メッセージに少なくとも部分的に基づいて、ハンドオーバー実行メッセージをソース基地局に送信することとを含んでいてもよい。
【００２６】
［００２６］
ワイヤレス通信のための装置を説明する。装置は、ソース基地局からハンドオーバー準備要求を受信する手段と、ワイヤレスデバイスからアクセス要求を受信する手段と、アクセス要求に少なくとも部分的に基づいて、ワイヤレスデバイスから接続再コンフィギュレーション完了メッセージを受信する手段と、接続再コンフィギュレーション完了メッセージに少なくとも部分的に基づいて、ハンドオーバー実行メッセージをソース基地局に送信する手段とを含んでいてもよい。
【００２７】
［００２７］
ワイヤレス通信のためのさらなる装置を説明する。装置は、プロセッサと、プロセッサと電子通信するメモリと、メモリ中に記憶されている命令とを含んでいてもよく、命令は、プロセッサによって実行されるときに、装置に、ソース基地局からハンドオーバー準備要求を受信させ、ワイヤレスデバイスからアクセス要求を受信させ、アクセス要求に少なくとも部分的に基づいて、ワイヤレスデバイスから接続再コンフィギュレーション完了メッセージを受信させ、接続再コンフィギュレーション完了メッセージに少なくとも部分的に基づいて、ハンドオーバー実行メッセージをソース基地局に送信させるように動作可能である。
【００２８】
［００２８］
ワイヤレス通信のためのコードを記憶している非一時的コンピュータ読取可能媒体を説明する。コードは、ソース基地局からハンドオーバー準備要求を受信するようにと、ワイヤレスデバイスからアクセス要求を受信するようにと、アクセス要求に少なくとも部分的に基づいて、ワイヤレスデバイスから接続再コンフィギュレーション完了メッセージを受信するようにと、接続再コンフィギュレーション完了メッセージに少なくとも部分的に基づいて、ハンドオーバー実行メッセージをソース基地局に送信するように実行可能な命令を含んでいてもよい。
【００２９】
［００２９］
ここで説明する方法、装置、または、非一時的コンピュータ読取可能媒体のうちのいくつかの例は、ソース基地局からデュアルリンクハンドオーバー能力の表示を受信するためのプロセス、特徴、手段、または、命令をさらに含んでいてもよく、データ送信は、表示に応答して送られる。追加的にまたは代替的に、いくつかの例では、デュアルリンクハンドオーバー能力は、短い待ち時間能力に関係付けられている。ここで説明する方法、装置、または、非一時的コンピュータ読取可能媒体のうちのいくつかの例は、接続再コンフィギュレーション完了メッセージを受信するより前に、ソース基地局暗号化送信をワイヤレスデバイスに送るためのプロセス、特徴、手段、または、命令をさらに含んでいてもよい。
【００３０】
［００３０］
ここで説明する方法、装置、または、非一時的コンピュータ読取可能媒体のうちのいくつかの例は、ハンドオーバー実行メッセージに応答して、ソース基地局からシーケンス番号（ＳＮ）ステータス転送メッセージまたはベアラデータメッセージを受信するためのプロセス、特徴、手段、または、命令をさらに含んでいてもよい。追加的にまたは代替的に、いくつかの例は、ＳＮステータス転送メッセージまたはベアラデータメッセージを受信することに少なくとも部分的に基づいて、データ送信をワイヤレスデバイスに送るためのプロセス、特徴、手段、または、命令を含んでいてもよい。
【図面の簡単な説明】
【００３１】
［００３１］
以下の図面を参照することによって、本開示の特質を理解することができる。
【図１】［００３２］  図１は、本開示のさまざまな態様にしたがう、デュアルリンクハンドオーバーをサポートするワイヤレス通信システムの例を図示している。
【図２】［００３３］  図２は、本開示のさまざまな態様にしたがう、デュアルリンクハンドオーバーをサポートするワイヤレス通信システムの例を図示している。
【図３】［００３４］  図３は、本開示のさまざまな態様にしたがう、デュアルリンクハンドオーバーをサポートするプロセスフローの例を図示している。
【図４】［００３５］  図４は、本開示のさまざまな態様にしたがう、デュアルリンクハンドオーバーをサポートするワイヤレスデバイスのブロックダイヤグラムを示している。
【図５】図５は、本開示のさまざまな態様にしたがう、デュアルリンクハンドオーバーをサポートするワイヤレスデバイスのブロックダイヤグラムを示している。
【図６】図６は、本開示のさまざまな態様にしたがう、デュアルリンクハンドオーバーをサポートするワイヤレスデバイスのブロックダイヤグラムを示している。
【図７】［００３６］  図７は、本開示のさまざまな態様にしたがう、デュアルリンクハンドオーバーをサポートするユーザ機器（ＵＥ）を含むシステムのブロックダイヤグラムを示している。
【図８】［００３７］  図８は、本開示のさまざまな態様にしたがう、デュアルリンクハンドオーバーをサポートするワイヤレスデバイスのブロックダイヤグラムを示している。
【図９】図９は、本開示のさまざまな態様にしたがう、デュアルリンクハンドオーバーをサポートするワイヤレスデバイスのブロックダイヤグラムを示している。
【図１０】図１０は、本開示のさまざまな態様にしたがう、デュアルリンクハンドオーバーをサポートするワイヤレスデバイスのブロックダイヤグラムを示している。
【図１１】［００３８］  図１１は、本開示のさまざまな態様にしたがう、デュアルリンクハンドオーバーをサポートする基地局を含むシステムのブロックダイヤグラムを図示している。
【図１２】［００３９］  図１２は、本開示のさまざまな態様にしたがう、デュアルリンクハンドオーバーのための方法を図示している。
【図１３】図１３は、本開示のさまざまな態様にしたがう、デュアルリンクハンドオーバーのための方法を図示している。
【図１４】図１４は、本開示のさまざまな態様にしたがう、デュアルリンクハンドオーバーのための方法を図示している。
【図１５】図１５は、本開示のさまざまな態様にしたがう、デュアルリンクハンドオーバーのための方法を図示している。
【図１６】図１６は、本開示のさまざまな態様にしたがう、デュアルリンクハンドオーバーのための方法を図示している。
【図１７】図１７は、本開示のさまざまな態様にしたがう、デュアルリンクハンドオーバーのための方法を図示している。
【詳細な説明】
【００３２】
［００４０］
いくつかのワイヤレスシステムは、ソース基地局への接続が、ターゲット基地局への新たな接続を確立する前に終了される「止めて行う」ハンドオーバー手順を用いているかもしれない。本開示にしたがうと、いくつかのケースでは、あるシステム内のユーザ機器（ＵＥ）は、「止める前に行う」ハンドオーバー手順を利用することができる。これは、デュアルリンクハンドオーバーと呼ばれることがある。このようなケースでは、ＵＥはハンドオーバーの間に、ソース基地局とターゲット基地局の両方からデータを受信できる。例えば、ターゲット基地局とのアクセス手順の実行に成功する後まで、ＵＥは、媒体アクセス制御（ＭＡＣ）およびパケットデータ収束プロトコル（ＰＤＣＰ）レイヤコンフィギュレーションをリセットすること、または、再確立することを止めてもよい。いくつかのケースでは、ハンドオーバー手順の間、単一無線リンク制御（ＲＬＣ）／ＰＤＣＰスタックを、使用してもよい。ソース基地局は、いくつかの例では、ハンドオーバー実行メッセージを受信した後に、ターゲット基地局にデータを転送してもよい。ＵＥは、移行の間に両方の基地局によって送られた任意の重複データを識別して、解消することができる。いくつかのケースでは、（例えば、無線リソース制御（ＰＲＣ）コンフィギュレーションの間）ＵＥデュアルリンクハンドオーバー能力を示すために、追加のシグナリングを使用してもよい。ソース基地局は、デュアルリンクハンドオーバーを促進するために、この情報をターゲット基地局に中継することができる。
【００３３】
［００４１］
図１は、本開示のさまざまな態様にしたがう、デュアルリンクハンドオーバーをサポートするワイヤレス通信システム１００の例を図示している。ワイヤレス通信システム１００は、基地局１０５、ＵＥ１１５、および、コアネットワーク１３０を含む。いくつかの例では、ワイヤレス通信システム１００は、ロングタームエボリューション（ＬＴＥ）／ＬＴＥアドバンスト（ＬＴＥ−Ａ）ネットワークであってもよい。
【００３４】
［００４２］
基地局１０５は、１つ以上の基地局アンテナを介して、ＵＥ１１５とワイヤレスに通信してもよい。基地局１０５のそれぞれは、それぞれの地理的カバレッジエリア１１０のための通信カバレッジを提供してもよい。ワイヤレス通信システム１００において示される通信リンク１２５は、ＵＥ１１５から基地局１０５へのアップリンク（ＵＬ）送信、または、基地局１０５からＵＥ１１５へのダウンリンク（ＤＬ）送信を含んでいてもよい。基地局１０５は、デュアルリンクハンドオーバーをサポートするかもしれないし、デュアルリンクハンドオーバーをサポートするために互いに通信するかもしれない。例えば、基地局１０５は、バックホールリンク１３２（例えば、Ｓ１等）を通して、コアネットワーク１３０とインターフェースしていてもよい。基地局１０５はまた、バックホールリンク１３４（例えば、Ｘ１等）を通して、直接的にまたは間接的に（例えば、コアネットワーク１３０を通して）のいずれかで、互いに通信してもよい。基地局１０５は、ＵＥ１１５と通信するために、無線コンフィギュレーションとスケジューリングとを実行してもよく、または、（示していない）基地局制御装置の制御の下で動作してもよい。さまざまな例において、基地局１０５は、マクロセル、スモールセル、ホットスポット、または、これらに類するものであってもよい。基地局は、いくつかの例では、ｅノードＢ１０５またはｅＮＢ１０５として呼ばれることがある。
【００３５】
［００４３］
ＵＥ１１５は、ワイヤレス通信システム１００全体を通して分散されていてもよく、各ＵＥ１１５は、静的または移動性であってもよい。ＵＥ１１５はまた、移動体局、加入者局、移動体ユニット、加入者ユニット、ワイヤレスユニット、遠隔ユニット、移動体デバイス、ワイヤレスデバイス、ワイヤレス通信デバイス、遠隔デバイス、移動体加入者局、アクセス端末、移動体端末、ワイヤレス端末、遠隔端末、ハンドセット、ユーザエージェント、移動体クライアント、クライアント、または、他の何らかの適切な専門用語を含んでいてもよく、または、当業者によって、このように呼ばれてもよい。ＵＥ１１５は、セルラ電話機、パーソナルデジタルアシスタント（ＰＤＡ）、ワイヤレスモデム、ワイヤレス通信デバイス、ハンドヘルドデバイス、タブレットコンピュータ、ラップトップコンピュータ、コードレス電話機、ワイヤレスローカルループ（ＷＬＬ）局、または、これらに類するものであってよい。ＵＥ１１５は、基地局１０５と通信してもよく、デュアルリンクハンドオーバーをサポートしていてもよい。
【００３６】
［００４４］
コアネットワーク１３０は、ユーザ認証、アクセス認可、追跡、インターネットプロトコル（ＩＰ）接続性、他のアクセス、ルーティング、または、モビリティ機能を提供してもよい。コアネットワーク１３０は、モビリティ管理エンティティ（ＭＭＥ）、サービングゲートウェイ（Ｓ−ＧＷ）、および、パケットゲートウェイ（Ｐ−ＧＷ）のようなコンポーネントを含んでいてもよい。
【００３７】
［００４５］
コアネットワーク１３０内のＭＭＥは、ネットワーク接続アクティブ化／非アクティブ化プロセスに関与していてもよく、ＨＳＳと連携してユーザを認証することにも関与していてもよい。非アクセス層（ＮＡＳ）シグナリング−これは、ＵＥ１１５が動くときに、通信セッションの確立のために、および、ＵＥ１１５との継続的な通信を維持するために、使用されてもよい−が、ＭＭＥにおいて、開始されてもよく、または、指示されてもよい。いくつかの例では、以下で説明するように、ＭＭＥは、デュアルリンクハンドオーバーをサポートまたは促進してもよい。ＭＭＥはまた、一時的な識別子をＵＥ１１５に割り振ってもよい。例えば、ＭＭＥは、ＭＭＥに対する識別情報とともにＵＥ１１５に対する一時的な識別子を含む、グローバル一意一時識別子（ＧＵＴＩ）をＵＥ１１５に割り振ってもよい。ＧＵＴＩは、持続的な識別子、例えば、国際移動体加入者識別子（ＩＭＳＩ）がネットワーク内で送信される頻度を最小化してもよい。ＭＭＥはまた、サービスプロバイダの公衆地上移動体ネットワーク（ＰＬＭＮ）上でキャンプすることがＵＥ１１５に認証されているか否かをチェックしてもよく、ＵＥ１１５に対するアタッチ手順のような、ＮＡＳシグナリングに対するセキュリティキーを管理してもよく、セキュリティキー管理を取り扱う。
【００３８】
［００４６］
Ｓ−ＧＷの機能は、ＭＭＥからの指示に基づいてベアラを確立することと、ユーザデータパケットをＰ−ＧＷにルーティングし、転送することと、ＰＬＭＮにおけるＳ−ＧＷに接続することと、ユーザプレーントンネリングすること（例えば、一般パケット無線サービス（ＧＰＲＳ）トンネリングプロトコルを使用すること）と、ＬＴＥモビリティに対してアンカーリングすることと、ユーザおよびベアラ情報を集めることとを含んでいてもよい。Ｐ−ＧＷの機能は、外部データネットワークに接続することと、Ｓ−ＧＷ間ハンドオーバーを管理することと、ポリシー、ルール、および、課金機能を調節することと、進化型パケット交換システム（ＥＰＳ）ベアラをアンカーリングすることとを含んでいてもよい。いくつかの例では、Ｓ−ＧＷまたはＰ−ＧＷ、あるいは、その両方は、以下で説明するようなデュアルリンクハンドオーバーをサポートしてもよい。
【００３９】
［００４７］
ワイヤレス通信システム１００は、レイヤードプロトコルスタックにしたがって動作する、パケットベースのネットワークであってもよい。データは、論理チャネル、伝送チャネル、および、物理レイヤチャネルに分割してもよい。伝送チャネルは、物理（ＰＨＹ）レイヤにおける物理チャネルにマッピングしてもよい。チャネルはまた、制御チャネルおよびトラフィックチャネルに分類してもよい。さらに、ワイヤレス通信１００の無線プロトコルアーキテクチャは、一般的に制御プレーンとユーザプレーンに分割してもよい。
【００４０】
［００４８］
制御プレーンにおいて、無線リソース制御（ＲＲＣ）プロトコルレイヤは、ＵＥ１１５と基地局１０５との間のＲＲＣ接続の確立、コンフィギュレーション、および、管理を提供してもよい。ＲＲＣプロトコルレイヤはまた、ユーザプレーンデータに対する無線ベアラのコアネットワーク１３０サポートのために使用してもよい。パケットデータ収束プロトコル（ＰＤＣＰ）レイヤは、ロバストヘッダ圧縮（ＲＯＣＨ）プロトコルを使用して、ＩＰデータフローのヘッダ圧縮および伸長を、（ユーザプレーンまたは制御プレーン）データの転送を、ＰＤＣＰシーケンス番号（ＳＮ）の維持を、上位レイヤプロトコルデータユニット（ＰＤＵ）の下位レイヤへのシーケンスでの送出を担ってもよい。ＰＤＣＰレイヤはまた、重複パケットをなくすこと、ユーザプレーンデータおよび制御プレーンデータの暗号化および解読すること、制御プレーンデータの完全保護および完全確認すること、タイマーアウトタイマーに基づくパケット廃棄することを管理してもよい。無線リンク制御（ＲＬＣ）レイヤは、論理チャネルを通して通信するために、パケットセグメント化および再アセンブルを実行してもよい。媒体アクセス制御（ＭＡＣ）レイヤは、論理チャネルの優先取り扱いと、論理チャネルを伝送チャネルに多重化することとを実行してもよい。ＭＡＣレイヤはまた、ハイブリッド自動反復要求（ＨＡＲＱ）を使用して、ＭＡＣレイヤにおける再送信を提供して、リンク効率を改善してもよい。
【００４１】
［００４９］
ＲＬＣレイヤは、より高いレイヤ（例えば、ＲＲＣおよびＰＤＣＰ）をより低いレイヤ（例えば、ＭＡＣレイヤ）に接続してもよい。例えば、到来データパケット（例えば、ＰＤＣＰまたはＲＲＣサービスデータユニット（ＳＤＵ））が送信するためには大きすぎる場合、ＲＬＣレイヤは、それをいくつかのより小さなＲＬＣ  ＰＤＵにセグメント化してもよい。代わりに、到来パケットが小さすぎる場合、ＲＬＣレイヤは、それらのうちのいくつかを、単一の、より大きなＲＬＣ  ＰＤＵに連結してもよい。各ＲＬＣ  ＰＤＵは、どのようにデータを再アセンブルするかについての情報を含むヘッダを含んでいてもよい。ＲＬＣレイヤはまた、確実にパケットが信頼性を持って送信されることを手助けしてもよい。送信機は、インデックス付けされたＲＬＣ  ＰＤＵのバッファを保ってもよく、対応する肯定応答（ＡＣＫ）を受信するまで、各ＰＤＵの再送信を継続してもよい。いくつかのケースでは、送信機は、どのＰＤＵが受信されたかを決定するためにポーリング要求を送ってもよく、受信機は、ステータスレポートで応答してもよい。ＭＡＣレイヤＨＡＲＱとは異なり、ＲＬＣ自動反復要求（ＡＲＱ）は、前方誤り訂正機能を含んでいなくてもよい。いくつかの例では、ＵＥ１１５は、ハンドオーバー手順に関連して、ＭＡＣ、ＰＤＣＰ、または、ＲＬＣコンフィギュレーションをリセットしてもよい。
【００４２】
［００５０］
ワイヤレス通信システム１００による通信を開始するために、ＵＥ１１５は、同期化信号、マスター情報ブロック（ＭＩＢ）、および、１つ以上のシステム情報ブロック（ＳＩＢ）を受信してもよい。ＵＥ１１５は、その後、ランダムアクセスチャネル（ＲＡＣＨ）プリアンブルを基地局１０５に送信してもよい。例えば、ＲＡＣＨプリアンブルは、６４の予め定められたシーケンスのセットから、ランダムに選択してもよい。これは、基地局１０５が、システムに同時にアクセスしようとする複数のＵＥ１１５間を区別することを可能にしてもよい。基地局１０５は、ＵＬリソース許可と、タイミングアドバンスと、一時セル無線ネットワーク一時識別子（Ｃ−ＲＮＴＩ）とを提供するランダムアクセス応答により応答してもよい。ＵＥ１１５は、その後、（ＵＥ１１５が以前に同じワイヤレスネットワークに接続されている場合）一時移動体加入者識別子（ＴＭＳＩ）、または、ランダム識別子とともに、ＲＲＣ接続要求を送信してもよい。ＲＲＣ接続要求は、ＵＥ１１５がネットワークに接続している理由（例えば、緊急、シグナリング、データ交換等）も示してもよい。基地局１０５は、新たなＣ−ＲＮＴＩを提供するかもしれない、ＵＥ１１５にアドレス指定されているコンテンション解消メッセージにより、接続要求に応答してもよい。ＵＥ１１５が正しい識別を有するコンテンション解消メッセージを受信する場合、ＲＲＣセットアップにより進んでもよい。ＵＥ１１５がコンテンション解消メッセージを受信しない場合（例えば、別のＵＥ１１５と競合がある場合）、新たなＲＡＣＨプリアンブルを送信することにより、ＲＡＣＨプロセスを繰り返してもよい。
【００４３】
［００５１］
ＵＥ１１５は、無線リンクモニタリング（ＲＬＭ）測定を実行することにより、無線リンクが障害を起こしていると決定してもよい。リンクが障害を起こしている場合、ＵＥ１１５は、無線リンク障害（ＲＬＦ）手順を開始してもよい。例えば、最大数の再送信に達しているとのＲＬＣ表示の際に、最大数のＲＬＭの同期していない表示を受信する際に、または、ＲＡＣＨ手順間の無線障害の際に、ＲＬＦ手順が、トリガされてもよい。いくつかのケースでは、(例えば、同期していない表示に対する制限に到達した後に）ＵＥ１１５は、タイマを起動し、しきい値数の同期している表示が受信されたか否かを決定するために待ってもよい。タイマの満了より前に、同期している表示の数がしきい値を超える場合、ＵＥ１１５は、ＲＬＦ手順を中止してもよい。そうでなければ、ＵＥ１１５はＲＡＣＨ手順を実行して、ネットワークへのアクセスを回復させてもよい。ＲＡＣＨ手順は、Ｃ-ＲＮＴＩ、セル識別（ＩＤ）、セキュリティ確認情報、および、再確立の原因を含む、ＲＲＣ接続再確立要求を送信することを含んでいてもよい。要求を受信した基地局１０５は、ＲＲＣ接続再確立メッセージ、または、ＲＲＣ接続再確立拒否のいずれかで応答してもよい。ＲＲＣ接続再確立メッセージは、セキュリティキーを発生させるための情報とともに、ＵＥ１１５に対するシグナリング無線ベアラ（ＳＲＢ）を確立するためのパラメータを含んでいてもよい。いったんＵＥ１１５がＲＲＣ接続確立メッセージを受信すると、ＵＥ１１５は、新しいＳＲＢコンフィギュレーションを実現し、ＲＲＣ接続再確立完了メッセージを基地局１０５に送信してもよい。
【００４４】
［００５２］
いくつかのケースでは、ＵＥ１１５は、（ソース基地局として呼ばれることがある）担当基地局１０５から（ターゲット基地局として呼ばれることがある）別の基地局１０５に移行されてもよい。例えば、ＵＥ１１５は、ターゲット基地局１０５のカバレッジエリアに動くかもしれず、あるいは、ターゲット基地局１０５は、ＵＥ１１５に対してより良いサービスを提供することができるかもしれず、または、ソース基地局１０５から過剰な負荷を軽減できるかもしれない。この移行は、「ハンドオーバー」として呼ばれることがある。ハンドオーバーより前に、ソース基地局１０５は、隣接する基地局１０５の信号品質を測定するための手順でＵＥ１１５を構成してもよい。ＵＥ１１５は、その後、測定レポートで応答してもよい。ソース基地局１０５は、測定レポートを使用して、ハンドオーバー決定をしてもよい。決定はまた、ネットワーク負荷および干渉緩和のような無線リソース管理（ＲＲＭ）要因に基づいていてもよい。
【００４５】
［００５３］
ハンドオーバー決定がされると、ソース基地局１０５は、ハンドオーバー要求メッセージをターゲット基地局１０５に送ってもよく、これは、ＵＥ１１５を担当するようにターゲット基地局１０５に準備させるためのコンテキスト情報を含んでいてもよい。ターゲット基地局１０５は、例えば、確実に、それがＵＥ１１５のサービス品質（ＱｏＳ）標準規格を満たすことができるようにするアドミッション制御決定を行ってもよい。 次に、ターゲット基地局１０５は、到来ＵＥ１１５のためのリソースを構成し、ハンドオーバー要求肯定応答メッセージをソース基地局１０５に送ってもよく、これは、ＵＥ１１５に伝えられるＲＲＣ情報を含んでいてもよい。ソース基地局１０５は、その後、ＵＥ１１５にハンドオーバーを実行するように指示し、ＰＤＣＰベアラステータス情報を用いて、ステータス転送メッセージをターゲット基地局に渡してもよい。ＵＥ１１５は、ＲＡＣＨ手順を通して、ターゲット基地局１０５にアタッチしてもよい。
【００４６】
［００５４］
上述したように、いくつかのハンドオーバー手順は、「止めて行う」シグナリングに基づいているかもしれない。すなわち、ターゲット基地局１０５への接続が生成される前に、ソース基地局１０５への接続を止めるかもしれない。これは、「止める」と「行う」との間でデータの混乱を引き起こすかもしれない。しかしながら、他の例では、ＵＥ１１５は、ソースおよびターゲットセルの両方に接続されてもよく、したがって、ハンドオーバーの間にデュアルリンクを有する。いくつかのケースでは、ＵＥ１１５は、一般に、キャリアアグリゲーション（ＣＡ）またはデュアル接続（ＤＣ）モードのいずれかで、（例えば、異なる物理ダウンリンク制御チャネル（ＰＤＣＣＨ）および物理ダウンリンク共有チャネル（ＰＤＳＣＨ）を使用して）複数のセル上でデータを受信してもよい。いくつかの例では、単一のＲＲＣ接続があってもよい。したがって、ハンドオーバーの間に、ＵＥ１１５は、ＲＲＣを再構成するためのコマンドを受信するかもしれないが、ターゲット基地局１０５との新たな接続が行われるまで、担当基地局１０５に接続されたままであってもよい。
【００４７】
［００５５］
図２は、本開示のさまざまな態様にしたがって、デュアルリンクハンドオーバーをサポートするワイヤレス通信システム２００の例を図示している。ワイヤレス通信システム２００は、ＵＥ１１５−ａ、ソース基地局１０５−ａ、および、ターゲット基地局１０５−ｂを含んでいてもよく、これは、ここで、図１を参照して説明したＵＥ１１５または基地局１０５の例であってもよい。ワイヤレス通信システム２００は、ＭＭＥ２０５およびＳ−ＧＷ２１０を含んでいてもよいコアネットワーク１３０−ａを含んでいてもよく、これは、ここで、図１を参照して説明したネットワークコンポーネントの例であってもよい。
【００４８】
［００５６］
ＵＥ１１５−ａは、ソース基地１０５−ａからターゲット基地局１０５−ｂへのデュアルリンクハンドオーバー手順を経験してもよい。例えば、ＵＥ１１５−ａは、地理的カバレッジエリア１１０−ａからカバレッジエリア１１０−ｂに動くかもしれない。ハンドオーバー前に、ＵＥ１１５−ａは、ソース基地局１０５−ａとの通信のために構成されているプロトコルスタックを有していてもよい。例えば、ＵＥ１１５−ａは、ＲＲＣ、ＰＤＣＰ、ＲＬＣ、および、ＭＡＣレイヤコンフィギュレーションを有していてもよい。ＵＥ１１５−ａは、ターゲット基地局１０５−ｂとのＲＡＣＨ手順の実行が成功した後まで、ＭＡＣコンフィギュレーションをリセットすることまたはＰＤＣＰコンフィギュレーションを再確立することを止めてもよい。これは、ＵＥ１１５−ａがターゲット基地局１０５−ｂに通信を移行する準備ができるまで、ＵＥ１１５−ａがソース基地局１０５−ａとの通信を継続できるようにすることができる。ハンドオーバーの最終段階の間、ＭＭＥ２０５およびＰ−ＧＷは、ＵＥ１１５−ａに対するＥＰＳベアラを、ソース基地局１０５−ａからターゲット基地局１０５−ｂに移行してもよい。
【００４９】
［００５７］
いくつかのケースでは、ハンドオーバーメカニズムは、３つのステップを含んでいてもよい。第１に、ソース基地局１０５−ａは、ＵＥ１１５−ａをターゲット基地局１０５−ｂにハンドオーバーすることを決定し、ターゲット基地局１０５−ｂのＲＲＣコンフィギュレーション情報を含むハンドオーバーコマンドをＵＥ１１５−ａに送信してもよい。第２に、ＵＥ１１５−ａは、新しいＲＲＣコンフィギュレーションを適用し、ＭＡＣコンフィギュレーションをリセットし、ＰＤＣＰ再確立を開始してもよい。第３に、ＵＥ１１５−ａは、ターゲット基地局１０５−ｂにおけるＲＡＣＨ手順を実行してもよい。本開示にしたがうと、ＵＥ１１５−ａは、ソース基地局１０５−ａとの間で、データを受信することと、ＨＡＲＱまたはＣＳＩフィードバックを送ることとを継続してもよい。しかしながら、いくつかの例では、ＵＥ１１５−ａは、ハンドオーバーの間に、ソース基地局１０５−ａに対するＲＬＭ測定を中止してもよい。ＲＡＣＨが失敗した場合、ＵＥ１１５−ａは、ソース基地局１０５−ａに戻ることができる（そして適切な場合、ＲＬＭを再開する）。
【００５０】
［００５８］
いくつかのケースでは、ソース基地局１０５−ａは、ＵＥ１１５−ａをターゲット基地局１０５−ｂにハンドオーバーしない決定をしてもよい。例えば、ターゲット基地局１０５−ｂは、(例えば、バックホールリンクを介して)ターゲット基地局１０５−ｂがデュアルリンクハンドオーバー能力を有さないことをソース基地局１０５−ａに示してもよい。その後、ソース基地局１０５−ａは、ターゲット基地局１０５−ｂの示された能力に基づいて、ハンドオーバーコマンドを送信することを止めてもよい。
【００５１】
［００５９］
いくつかのケースでは、ハンドオーバー手順の間に、単一のＲＬＣ／ＰＤＣＰスタックが、ＵＥ１１５−ａによって使用されてもよい。ターゲット基地局１０５−ｂのための成功したＲＡＣＨ手順は、ＲＬＣ／ＰＤＣＰを交換するためのトリガポイントであってもよい。これはまた、データパケットの送信を停止するようにソース基地局１０５−ａに示すために、ターゲット基地局１０５−ｂをトリガしてもよい。この時点で、ＰＤＣＰステータスレポートは、ＵＥ１１５−ａからターゲット基地局１０５−ａに送ることができる。他のケースでは、デュアルＲＬＣ／ＰＤＣＰを使用してもよく、ＵＥ１１５−ａは、異なるプロトコルスタックを使用して、ハンドオーバー中に両方のセルからデータを受信してもよい。
【００５２】
［００６０］
ソース基地局１０５−ａは、ハンドオーバーの後に、データをターゲット基地局１０５−ｂに転送してもよい。しかしながら、ソース基地局１０５−ａは、ＰＤＣＰ  ＳＤＵをＵＥ１１５−ａに送信することを継続してもよく、ソース基地局１０５−ａがＵＥ１１５−ａへの送信を停止した後に、シーケンス番号ステータスレポートがターゲット基地局１０５−ｂに送られてもよい。デュアルＲＬＣ／ＰＤＣＰが使用される場合、例えば、暗号化されたＰＤＣＰ  ＰＤＵおよび暗号化されていないＰＤＣＰ  ＰＤＵの両方が転送されてもよい。マーカパケットがソース基地局１０５−ａによって受信されるとき、ＰＤＣＰ  ＰＤＵは（暗号化されて、または、暗号化されずに)転送されてもよい。すなわち、ターゲット基地局１０５−ｂは、ターゲット基地局１０５−ｂが送信を引き継ぐことができるまで（すなわち、ソース基地局が送信を停止した後）、ソース暗号化されたＰＤＵを送信してもよい。ＵＥ１１５−ａは、両方の基地局１０５を監視してもよく、同じ論理チャネルを使用して、両方の基地局１０５からＰＤＣＰ  ＰＤＵを受信してもよい。ターゲット基地局１０５−ｂが、移行の間に、同じＰＤＣＰ  ＰＤＵのうちのいくつかを送信する場合、ＵＥ１１５−ａにおいて、複製が、受信され、処理されてもよい。
【００５３】
［００６１］
いくつかのケースでは、ＵＥ１１５−ａとソース基地局１０５−ａとの間の追加のシグナリングを使用して、適切なタイプのハンドオーバーを表示または交渉してもよい。例えば、ＵＥ１１５−ａは、デュアルリンクハンドオーバーに参加することができることをシグナリングしてもよく、すなわち、ソース基地局１０５−ａからのハンドオーバーコマンドを受信することと、ターゲット基地局１０５−ｂとのＲＡＣＨ実行が成功することとの間の、ハンドオーバー移行期間中、両方の基地局１０５と通信可能であってもよい。ＵＥ１１５−ａとソース基地局１０５−ａの両方に対するデュアルリンクハンドオーバー能力は、ＲＲＣコンフィギュレーションの間に交換されてもよく、ハンドオーバーより前にまたはハンドオーバーの間に、情報が、ターゲット基地局に転送されてもよい。
【００５４】
［００６２］
いくつかのケースでは、ここで説明するデュアルリンクハンドオーバー手順は、短い待ち時間動作を可能にするＵＥ１１５に関係付けられていてもよい。例えば、短い待ち時間能力をシグナリングすることは、デュアルリンクハンドオーバー能力を示すことができ、または、その逆も可能である。短い待ち時間動作は、長さでサブフレームよりも短い送信時間間隔（ＴＴＩ）を使用して通信することを伴ってもよい。例えば、ＴＴＩは、サブフレーム長からシンボル期間長まで変化してもよい。デュアルリンクハンドオーバーの使用は、低減されたＴＴＩ長に関係する待ち時間の低減を補足することができる。
【００５５】
［００６３］
いくつかのケースでは、ターゲット基地局１０５−ｂにおけるアクセスが失敗した場合、ＵＥ１１５−ａは、ソース基地局１０５−ａにおいてＲＬＭを再開してもよい。いくつかのケースでは、ターゲット基地局１０５−ｂからソース基地局１０５−ａへのシグナリングを使用して、ＵＥ１１５−ａがターゲット基地局１０５−ｂへのアクセスを完了したことを知らせてもよい。これは、ソース基地局１０５−ａにデータ送信を停止させるよう通知するのに役立つかもしれない。いくつかのケースでは、ターゲット基地局１０５−ｂにハンドオーバーするようにＵＥ１１５−ａが決定を行うフォワードハンドオーバーを使用してもよい。フォワードハンドオーバーにおいて、または、別の方法では、ＵＥ１１５−ａは、ＵＥ１１５−ａがターゲット基地局１０５−ｂへのアクセスの完了に成功するまで、ＭＡＣ／ＰＤＣＰコンフィギュレーションをリセットしないかもしれない。
【００５６】
［００６４］
図３は、本開示のさまざまな態様にしたがった、デュアルリンクハンドオーバーをサポートするシステムのためのプロセスフロー３００の例を図示している。プロセスフロー３００は、ＵＥ１１５−ｂを含んでいてもよく、ＵＥ１１５−ｂは、ここで、図１および図２を参照して説明した、ＵＥ１１５の例であってもよい。プロセスフロー３００はまた、基地局１０５−ｃ、１０５−ｄ、ＭＭＥ２０５−ａ、および、Ｓ−ＧＷ２１０−ａを含んでいてもよく、これらは、ここで、図１〜２を参照して説明したような、ネットワークコンポーネントの例であってもよい。
【００５７】
［００６５］
３０５において、ＵＥ１１５−ｂおよびソース基地局１０５−ｃは、ＲＲＣコンフィギュレーションを確立してもよい。いくつかのケースでは、ＵＥ１１５−ｂは、デュアルリンクハンドオーバー能力の表示をソース基地局１０５−ｃに送信してもよく、データ送信は、表示に少なくとも部分的に基づいて、受信されてもよい。いくつかの例では、デュアルリンクハンドオーバー能力は、短い待ち時間能力に関係付けられてもよい。
【００５８】
［００６６］
３１０において、ＵＥ１１５−ｂ、および、ソース基地局１０５−ｃは、ターゲット基地局１０５−ｄに移行することにより、ＵＥ１１５−ｂがより良いサービスを受信するかもしれないことを示す、1つ以上の無線リンク測定を実行してもよい。３１５において、ソース基地局１０５−ｃは、ハンドオーバー準備要求をターゲット基地局１０５−ｄに送ってもよい。３１７において、ターゲット基地局１０５−ｄは、ハンドオーバー準備要求に肯定応答してもよい。
【００５９】
［００６７］
３２０において、ソース基地局１０５−ｃは、ハンドオーバーコマンド（例えば、ＲＲＣ再コンフィギュレーションメッセージ）をＵＥ１１５−ｂに送信してもよい。したがって、ＵＥ１１５−ｂは、ソース基地局１０５−ｃからターゲット基地局１０５−ｄへのハンドオーバーに関係付けられている接続再コンフィギュレーションメッセージを受信してもよい。ここで使用するように、アクセス手順は、プロセスフロー３００内の３０５〜３２０の任意の組み合わせと考えてもよい。さらに、ＵＥ１１５−ｂは、接続再コンフィギュレーションメッセージのコンテンツに基づいて、アクセス手順が成功したかまたは不成功であったかを決定してもよい。例えば、接続再コンフィギュレーションメッセージは、アクセス手順が成功したか否かを示す情報要素を含んでいてもよい。いくつかのケースでは、ＵＥ１１５−ｂは、接続再コンフィギュレーションメッセージを受信することに基づいて、ＲＬＭ手順を抑制してもよい。いくつかのケースでは、ＵＥ１１５−ｂは、アクセス手順が不成功であったという決定に少なくとも部分的に基づいて、ソース基地局とのＲＬＭ手順を再開してもよい。加えて、または代替的に、ＵＥ１１５−ｂは、アクセス手順が成功したという決定に少なくとも部分的に基づいて、ターゲット基地局とのＲＬＭ手順を再開してもよい。いくつかのケースでは、ＵＥ１１５−ｂは、アクセス手順が不成功であったという決定に少なくとも部分的に基づいて、接続再コンフィギュレーションメッセージをパージしてもよく、ソース基地局１０５−ｃとの通信を継続してもよい。
【００６０】
［００６８］
３２５において、ソース基地局１０５−ｃは、(ＲＬＣ  ＰＤＵに対応する)データ送信をＵＥ１１５−ｂに送ることを継続してもよい。ＵＥ１１５−ｂは、したがって、接続再コンフィギュレーションメッセージを受信した後に、ソース基地局１０５−ｃからのデータ送信を受信してもよい。
【００６１】
［００６９］
３３０において、ＵＥ１１５−ｂは、(例えば、ＲＡＣＨ手順にしたがって)ＲＲＣ再コンフィギュレーション要求をターゲット基地局１０５−ｄに送信してもよい。ＵＥ１１５−ｂは、このように、接続再コンフィギュレーションメッセージを受信することに基づいて、ターゲット基地局１０５−ｄとのアクセス手順の実行に成功してもよい。
【００６２】
［００７０］
３３２において、ターゲット基地局１０５−ｄは、ＵＬ許可情報およびタイミング調節情報のようなコンフィギュレーション情報をＵＥ１１５−ｂに送信してもよい。いくつかの例では、アクセス手順の実行に成功することは、ターゲット基地局１０５−ｄからコンテンション解消メッセージを受信することを含んでいる。
【００６３】
［００７１］
３３４において、ＵＥ１１５−ｂは、ハンドオーバーに関係付けられている接続再コンフィギュレーションメッセージをターゲット基地局１０５−ｄに送ってもよい。いくつかのケースでは、ＵＥ１１５−ｂは、ＭＡＣコンフィギュレーションをリセットし、ＲＬＣコンフィギュレーションをリセットし、または、ＰＤＣＰコンフィギュレーションを再確立する前に、ターゲット基地局１０５−ｄからの第２のデータ送信を受信してもよい。いくつかの例では、第２のデータ送信は、ソース基地局暗号化送信である。いくつかのケースでは、ソース基地局暗号化送信は、ソース基地局１０５によってターゲット基地局１０５に転送されてもよく、その後、ＵＥ１１５−ｂに送られる。いくつかのケースでは、第２のデータ送信は、ソース基地局からのデータ送信と同じ論理チャネルに対応する。
【００６４】
［００７２］
３３５において、ターゲット基地局１０５−ｄとの通信のために、ＵＥ１１５−ｂは、ＭＡＣおよび／またはＲＬＣコンフィギュレーションをリセットしてもよく、あるいは、ＰＤＣＰコンフィギュレーションを再確立してもよい。すなわち、ＵＥ１１５−ｂは、成功したアクセス手順に基づいて、ＭＡＣコンフィギュレーションをリセットし、ＲＬＣコンフィギュレーションをリセットし、または、ＰＤＣＰコンフィギュレーション再確立し、または、これらの任意の組み合わせをしてもよい。
【００６５】
［００７３］
３４０において、ターゲット基地局１０５−ｄは、ハンドオーバー実行メッセージをソース基地局１０５−ｃに送ってもよい。したがって、ソース基地局１０５−ｃは、ＵＥ１１５−ｂがターゲット基地局１０５−ｄに対するアクセス手順の実行に成功した後に、ターゲット基地局１０５−ｄからハンドオーバー実行メッセージを受信してもよい。ソース基地局１０５−ｃは、ハンドオーバー実行メッセージを受信することに基づいて、後続のメッセージをＵＥ１１５−ｂに送信することを停止してもよい。
【００６６】
［００７４］
３４５において、ターゲット基地局１０５−ｄは、パススイッチ要求をＭＭＥ２０５−ａに送ってもよい。３４７において、ＭＭＥ２０５−ａは、修正ベアラ要求をＳ−ＧＷ２１０−ａに送ってもよい。３５０において、ソース基地局１０５−ｃは、シーケンス番号（ＳＮ）ステータス転送メッセージをターゲット基地局１０５−ｄに送ってもよい。３５２において、ソース基地局１０５−ｃは、ＥＰＳベアラデータをターゲット基地局１０５−ｄに送ってもよい。３５５において、Ｓ−ＧＷ２１０−ａは、ＵＥ１１５−ｂに対するＤＬパスをソース基地局１０５−ｃからターゲット基地局１０５−ｄにスイッチしてもよい。
【００６７】
［００７５］
３６０において、ターゲット基地局１０５−ｄは、１つ以上のＲＬＣ  ＰＤＵをＵＥ１１５−ｂに送信してもよい。したがって、ＵＥ１１５−ｂは、リセットされたＭＡＣコンフィギュレーション、リセットされたＲＬＣコンフィギュレーション、再確立されたＰＤＣＰコンフィギュレーション、または、これらの任意の組み合わせに基づいて、ターゲット基地局１０５−ｄからの後続データ送信を受信してもよい。いくつかの例では、ソース基地局１０５−ｃからのデータ送信と、ターゲット基地局１０５−ｄからの後続データ送信は、同じＲＬＣ／ＰＤＣＰスタックを使用する。
【００６８】
［００７６］
３６５において、Ｓ−ＧＷ２１０−ａは、終了マーカをソース基地局１０５−ｃに送ってもよい。３６７において、ソース基地局１０５−ｃは、終了マーカをターゲット基地局１０５−ｄに送信してもよい。３７０において、Ｓ−ＧＷ２１０−ａは、ＵＥ１１５−ｂのためのパケットデータをターゲット基地局１０５−ｄにルーティングしてもよい。３７５において、Ｓ−ＧＷ２１０−ａは、修正ベアラ応答をＭＭＥ２０５−ａに送ってもよい。３７７において、ＭＭＥ２０５−ａは、パススイッチ応答をターゲット基地局１０５−ｄに送ってもよい。３８０において、ターゲット基地局１０５−ｄは、ＵＥコンテキスト解放メッセージをソース基地局１０５−ｃに送信してもよい。
【００６９】
［００７７］
図４は、本開示のさまざまな態様にしたがった、デュアルリンクハンドオーバーをサポートするワイヤレスデバイス４００のブロックダイヤグラムを示す。ワイヤレスデバイス４００は、図１〜３を参照して説明したＵＥ１１５の態様の例であってもよい。ワイヤレスデバイス４００は、受信機４０５、デュアルリンクハンドオーバーモジュール４１０、または、送信機４１５を含んでいてもよい。ワイヤレスデバイス４００はまた、プロセッサを含んでいてもよい。これらのコンポーネントのそれぞれは、互いに通信してもよい。
【００７０】
［００７８］
受信機４０５は、さまざまな情報チャネル（例えば、制御チャネル、データチャネル、および、デュアルリンクハンドオーバーに関連する情報、等）に関係付けられている、パケット、ユーザデータ、または、制御情報のような情報を受信してもよい。情報は、デュアルリンクハンドオーバーモジュール４１０に、および、ワイヤレスデバイス４００の他のコンポーネントに渡されてもよい。
【００７１】
［００７９］
デュアルリンクハンドオーバーモジュール４１０は、例えば、受信機４０５と組み合わせて、ソース基地局からターゲット基地局へのハンドオーバーに関係付けられている接続再コンフィギュレーションメッセージを受信してもよく、接続再コンフィギュレーションメッセージを受信した後、ソース基地局からのデータ送信を受信してもよく、接続再コンフィギュレーションメッセージを受信することに基づいて、ターゲット基地局とのアクセス手順の実行に成功してもよく、成功したアクセス手順に基づいて、ＭＡＣコンフィギュレーション、ＰＤＣＰコンフィギュレーション、または、ＲＬＣコンフィギュレーションをリセットしてもよい。
【００７２】
［００８０］
送信機４１５は、ワイヤレスデバイス４００の他のコンポーネントから受け取った信号を送信してもよい。いくつかの例では、送信機４１５は、トランシーバモジュール中で、受信機４０５と同じ位置に配置されてもよい。送信機４１５は、単一のアンテナを含んでいてもよく、または、送信機４１５は、複数のアンテナを含んでいてもよい。
【００７３】
［００８１］
図５は、本開示のさまざまな態様にしたがった、デュアルリンクハンドオーバーをサポートするワイヤレスデバイス５００のブロックダイヤグラムを示す。ワイヤレスデバイス５００は、図１〜４を参照して説明したワイヤレスデバイス４００またはＵＥ１１５の態様の例であってもよい。ワイヤレスデバイス５００は、受信機４０５−ａ、デュアルリンクハンドオーバーモジュール４１０−ａ、または、送信機４１５−ａを含んでいてもよい。ワイヤレスデバイス５００はまた、プロセッサを含んでいてもよい。これらコンポーネントのそれぞれは、互いに通信してもよい。デュアルリンクハンドオーバーモジュール４１０−ａはまた、接続再コンフィギュレーションモジュール５０５、データモジュール５１０、アクセスモジュール５１５、および、再コンフィギュレーションモジュール５２０を含んでいてもよい。
【００７４】
［００８２］
受信機４０５−ａは、デュアルリンクハンドオーバーモジュール４１０−ａに、および、ワイヤレスデバイス５００の他のコンポーネントに渡すことができる情報を受信してもよい。デュアルリンクハンドオーバーモジュール４１０−ａは、図４を参照してここで説明した動作を実行してもよい。送信機４１５−ａは、ワイヤレスデバイス５００の他のコンポーネントから受け取った信号を送信してもよい。
【００７５】
［００８３］
接続再コンフィギュレーションモジュール５０５は、図２〜３を参照してここで説明したように、ソース基地局からターゲット基地局へのハンドオーバーに関係付けられている接続再コンフィギュレーションメッセージを受信してもよい。
【００７６】
［００８４］
データモジュール５１０は、図２〜３を参照してここで説明したように、接続再コンフィギュレーションメッセージを受信した後、ソース基地局からのデータ送信を受信してもよい。データモジュール５１０はまた、リセットされたＭＡＣコンフィギュレーション、リセットされたＲＬＣコンフィギュレーション、または、再確立されたＰＤＣＰコンフィギュレーションに基づいて、ターゲット基地局からの後続データ送信を受信してもよい。いくつかの例では、データ送信および後続データ送信は、同じＲＬＣ／ＰＤＣＰスタックを使用する。データモジュール５１０はまた、ＭＡＣコンフィギュレーションをリセットし、ＲＬＣコンフィギュレーションをリセットし、または、ＰＤＣＰコンフィギュレーションを再確立するより前に、ターゲット基地局からの第２のデータ送信を受信してもよい。いくつかの例では、第２のデータ送信は、ソース基地局暗号化送信であってもよい。追加的にまたは代替的に、第２のデータ送信は、ソース基地局からのデータ送信と同じ論理チャネルに対応する。データモジュール５１０はまた、ＳＮステータス転送メッセージまたはベアラデータメッセージを受信することに基づいて、ワイヤレスデバイスにデータ送信を送ってもよい。
【００７７】
［００８５］
アクセスモジュール５１５は、図２〜３を参照してここで説明したように、接続再コンフィギュレーションメッセージを受信することに基づいて、ターゲット基地局とのアクセス手順を実行してもよい。アクセスモジュール５１５はまた、アクセス手順が成功したか否かを決定してもよい。いくつかの例では、アクセス手順の実行に成功することは、ターゲット基地局からコンテンション解消メッセージを受信することを含む。アクセスモジュール５１５はまた、アクセス要求に基づいて、ワイヤレスデバイスから接続再コンフィギュレーション完了メッセージを受信してもよい。
【００７８】
［００８６］
再コンフィギュレーションモジュール５２０は、図２〜３を参照してここで説明したように、成功したアクセス手順に基づいて、ＭＡＣコンフィギュレーションをリセットし、ＲＬＣコンフィギュレーションをリセットし、またはＰＤＣＰコンフィギュレーションを再確立し、または、３つすべてをしてもよい。
【００７９】
［００８７］
図６は、本開示のさまざまな態様にしたがった、デュアルリンクハンドオーバーをサポートする、ワイヤレスデバイス４００、または、ワイヤレスデバイス５００のコンポーネントであってもよい、デュアルリンクハンドオーバーモジュール４１０−ｂのブロックダイヤグラム６００を示す。デュアルリンクハンドオーバーモジュール４１０−ｂは、図４〜５を参照して説明したデュアルリンクハンドオーバーモジュール４１０の態様の例であってもよい。デュアルリンクハンドオーバーモジュール４１０−ｂは、接続再コンフィギュレーションモジュール５０５−ａ、データモジュール５１０−ａ、アクセスモジュール５１５−ａ、および、再コンフィギュレーションモジュール５２０−ａを含んでいてもよい。これらのモジュールのそれぞれは、図５を参照してここで説明した機能を実行してもよい。デュアルリンクハンドオーバーモジュール４１０−ｂはまた、デュアルリンク能力モジュール６０５と、ＲＬＭモジュール６１０とを含んでいてもよい。
【００８０】
［００８８］
デュアルリンク能力モジュール６０５は、デュアルリンクハンドオーバー能力の表示をソース基地局に送信してもよく、データ送信は、図２〜３を参照してここで説明したような表示に少なくとも部分的に基づいて、受信されてもよい。いくつかの例では、デュアルリンクハンドオーバー能力は、短い待ち時間能力に関係付けられてもよい。デュアルリンク能力モジュール６０５はまた、デュアルリンクハンドオーバー能力の表示をターゲット基地局に送ってもよい。ＲＬＭモジュール６１０は、例えば、図２〜３を参照してここで説明したように接続再コンフィギュレーションメッセージを受信することに基づいて、ＲＬＭ手順を抑制してもよい。
【００８１】
［００８９］
図７は、本開示のさまざまな態様にしたがった、デュアルリンクハンドオーバーをサポートするＵＥ１１５を含むシステム７００のダイヤグラムを示す。システム７００は、図１、２、および４〜６を参照してここで説明したワイヤレスデバイス４００、ワイヤレスデバイス５００、またはＵＥ１１５の例であってもよい、ＵＥ１１５−ｃを含んでいてもよい。ＵＥ１１５−ｃは、図４〜６を参照して説明したデュアルリンクハンドオーバーモジュール４１０の例であってもよい、デュアルリンクハンドオーバーモジュール７１０を含んでいてもよい。ＵＥ１１５−ｃはまた、短い待ち時間モジュール７２５を含んでいてもよい。ＵＥ１１５−ｃはまた、通信を送信するためのコンポーネントと通信を受信するためのコンポーネントとを含む、双方向音声およびデータ通信のためのコンポーネントを含んでいてもよい。例えば、ＵＥ１１５−ｃは、基地局１０５−ｅまたは基地局１０５−ｆと、双方向的に通信してもよい。例えば、基地局１０５−ｅは、ハンドオーバー手順の間のソース基地局１０５であってもよく、基地局１０５−ｆは、ハンドオーバー手順の間のターゲット基地局１０５であってもよい。
【００８２】
［００９０］
短い待ち時間モジュール７２５は、短い待ち時間動作を実行してもよく、または、短い待ち時間動作のためにＵＥ１１５−ｃを構成してもよい。例えば、短い待ち時間モジュール７２５は、ＬＴＥサブフレームよりも短いＴＴＩ長を使用して、通信をサポートしてもよい。いくつかの例では、短い待ち時間動作は、１つのＬＴＥシンボル期間のＴＴＩ長に基づいていてもよい。
【００８３】
［００９１］
ＵＥ１１５−ｃはまた、プロセッサ７０５と、（ソフトウェア（ＳＷ）７２０を含む）メモリ７１５と、トランシーバ７３５と、１つ以上のアンテナ７４０とを含んでいてもよく、そのそれぞれは、（例えば、バス７４５を介して）互いに直接的または間接的に通信してもよい。トランシーバ７３５は、上述したように、１つ以上のネットワークと、アンテナ７４０あるいはワイヤードまたはワイヤレスリンクを介して、双方向で通信してもよい。例えば、トランシーバ７３５は、基地局１０５または別のＵＥ１１５と双方向に通信してもよい。トランシーバモジュール７３５は、パケットを変調して、変調したパケットを送信のためにアンテナ７４０に提供し、アンテナ７４０から受け取ったパケットを復調するためのモデムを含んでいてもよい。ＵＥ１１５−ｃは、単一のアンテナ７４０を含んでいてもよい一方で、ＵＥ１１５−ｃはまた、複数のワイヤレス送信を並行して送信または受信することができる複数のアンテナ７４０を有していてもよい。
【００８４】
［００９２］
メモリ７１５は、ランダムアクセスメモリ（ＲＡＭ）およびリードオンリーメモリ（ＲＯＭ）を含んでいてもよい。メモリ７１５は、実行されたとき、プロセッサ７０５に、ここで説明したさまざまな機能（例えば、デュアルリンクハンドオーバー等）を実行させる命令を含む、コンピュータ読取可能、コンピュータ実行可能ソフトウェア／ファームウェアコード７２０を記憶していてもよい。代替的に、ソフトウェア／ファームウェアコード７２０は、プロセッサ７０５によって直接実行可能でないかもしれないが、（例えば、コンパイルされて実行されるとき）コンピュータに、ここで説明した機能を実行させてもよい。プロセッサ７０５は、インテリジェントハードウェアデバイス（例えば、中央処理ユニット（ＣＰＵ）、マイクロ制御装置、ＡＳＩＣ等）を含んでいてもよい。
【００８５】
［００９３］
図８は、本開示のさまざまな態様にしたがった、デュアルリンクハンドオーバーをサポートするワイヤレスデバイス８００のブロックダイヤグラムを示す。ワイヤレスデバイス８００は、図１〜３および７を参照して説明した基地局１０５の態様の例であってもよい。ワイヤレスデバイス８００は、受信機８０５、基地局（ＢＳ）デュアルリンクハンドオーバーモジュール８１０、または、送信機８１５を含んでいてもよい。ワイヤレスデバイス８００はまた、プロセッサを含んでいてもよい。これらのコンポーネントのそれぞれは、互いに通信してもよい。
【００８６】
［００９４］
受信機８０５は、さまざまな情報チャネル（例えば、制御チャネル、データチャネル、デュアルリンクハンドオーバーに関連する情報、等）に関係付けられている、パケット、ユーザデータ、または、制御情報のような情報を受信してもよい。情報は、基地局デュアルリンクハンドオーバーモジュール８１０に、および、ワイヤレスデバイス８００の他のコンポーネントに渡されてもよい。
【００８７】
［００９５］
基地局デュアルリンクハンドオーバーモジュール８１０は、ワイヤレスデバイスのハンドオーバーに関係付けられている接続再コンフィギュレーションメッセージをターゲット基地局に送り、接続再コンフィギュレーションメッセージを送った後、ワイヤレスデバイスにデータ送信を送り、ワイヤレスデバイスがターゲット基地局に対するアクセス手順の実行に成功した後、ターゲット基地局またはワイヤレスデバイスからハンドオーバー実行メッセージを受信してもよい。いくつかの例では、基地局デュアルリンクハンドオーバーモジュール８１０は、ソース基地局からハンドオーバー準備要求を受信し、ワイヤレスデバイス（例えば、ＵＥ）からアクセス要求を受信し、ワイヤレスデバイスから接続再コンフィギュレーション完了メッセージを受信し、接続再コンフィギュレーション完了メッセージに基づいて、ソース基地局にハンドオーバー実行メッセージを送信してもよい。いくつかの例では、基地局デュアルリンクハンドオーバーモジュール８１０は、ターゲット基地局がデュアルリンクハンドオーバーをサポートしないことを決定してもよい。例えば、ソース基地局デュアルリンクハンドオーバーモジュール８１０は、ターゲット基地局の能力の表示を受信してもよく、これは、ターゲット基地局がデュアルリンクハンドオーバー機能を有さないことを示してもよい。基地局デュアルリンクハンドオーバーモジュール８１０は、決定に基づいて、ワイヤレスデバイスのハンドオーバーに関係付けられている接続再コンフィギュレーションメッセージのターゲット基地局への送信を止めてもよい。
【００８８】
［００９６］
送信機８１５は、ワイヤレスデバイス８００の他のコンポーネントから受け取った信号を送信してもよい。いくつかの例では、送信機８１５は、トランシーバモジュール中の受信機８０５と同じ位置に配置されていてもよい。送信機８１５は、単一のアンテナを含んでいてもよく、または、送信機８１５は、複数のアンテナを含んでいてもよい。
【００８９】
［００９７］
図９は、本開示のさまざまな態様にしたがった、デュアルリンクハンドオーバーをサポートするワイヤレスデバイス９００のブロックダイヤグラムを示す。ワイヤレスデバイス９００は、図１〜８を参照して説明したワイヤレスデバイス８００または基地局１０５の態様の例であってもよい。ワイヤレスデバイス９００は、受信機８０５−ａ、基地局デュアルリンクハンドオーバーモジュール８１０−ａ、または、送信機８１５−ａを含んでいてもよい。ワイヤレスデバイス９００はまた、プロセッサを含んでいてもよい。これらのコンポーネントのそれぞれは、互いに通信してもよい。基地局デュアルリンクハンドオーバーモジュール８１０−ａはまた、ＢＳ接続再コンフィギュレーションモジュール９０５、ＢＳデータモジュール９１０、ハンドオーバー実行モジュール９１５、ハンドオーバー準備モジュール９２０、および、ＢＳアクセスモジュール９２５を含んでいてもよい。
【００９０】
［００９８］
受信機８０５−ａは、基地局デュアルリンクハンドオーバーモジュール８１０−ａに、および、ワイヤレスデバイス９００の他のコンポーネントに渡すことができる情報を受信してもよい。基地局デュアルリンクハンドオーバーモジュール８１０−ａは、図８を参照してここで説明した動作を実行してもよい。送信機８１５−ａは、ワイヤレスデバイス９００の他のコンポーネントから受け取った信号を送信してもよい。
【００９１】
［００９９］
ＢＳ接続再コンフィギュレーションモジュール９０５は、図２〜３を参照してここで説明したように、ワイヤレスデバイスのハンドオーバーに関係付けられている接続再コンフィギュレーションメッセージをターゲット基地局に送ってもよい。
【００９２】
［０１００］
ＢＳデータモジュール９１０は、図２〜３を参照してここで説明したように、接続再コンフィギュレーションメッセージを送った後、ワイヤレスデバイスにデータ送信を送ってもよい。
【００９３】
［０１０１］
ハンドオーバー実行モジュール９１５は、図２〜３を参照してここで説明したように、ワイヤレスデバイスがターゲット基地局に対するアクセス手順の実行に成功した後に、ターゲット基地局またはワイヤレスデバイスからハンドオーバー実行メッセージを受信してもよい。ハンドオーバー実行モジュール９１５はまた、接続再コンフィギュレーション完了メッセージに基づいて、ハンドオーバー実行メッセージをソース基地局に送信してもよい。
【００９４】
［０１０２］
ハンドオーバー準備モジュール９２０は、図２〜３を参照してここで説明したように、ソース基地局からハンドオーバー準備要求を受信してもよい。ＢＳアクセスモジュール９２５は、図２〜３を参照してここで説明したように、ワイヤレスデバイスからアクセス要求を受信してもよい。
【００９５】
［０１０３］
図１０は、本開示のさまざまな態様にしたがった、デュアルリンクハンドオーバーをサポートするワイヤレスデバイス８００またはワイヤレスデバイス９００のコンポーネントであってもよい、基地局デュアルリンクハンドオーバーモジュール８１０−ｂのブロックダイヤグラム１０００を示す。基地局デュアルリンクハンドオーバーモジュール８１０−ｂは、図８〜図９を参照して説明した、基地局デュアルリンクハンドオーバーモジュール８１０の態様の例であってもよい。基地局デュアルリンクハンドオーバーモジュール８１０−ｂは、ＢＳ接続再コンフィギュレーションモジュール９０５−ａ、ＢＳデータモジュール９１０−ａ、ハンドオーバー実行モジュール９１５−ａ、ハンドオーバー準備モジュール９２０−ａ、および、ＢＳアクセスモジュール９２５−ａを含んでいてもよい。これらのモジュールのそれぞれは、図９を参照してここで説明した機能を実行してもよい。基地局デュアルリンクハンドオーバーモジュール８１０−ｂはまた、ＢＳデュアルリンク能力モジュール１００５と、ベアラ転送モジュール１０１０とを含んでいてもよい。
【００９６】
［０１０４］
ＢＳデュアルリンク能力モジュール１００５は、図２〜３を参照してここで説明したように、表示に少なくとも部分的に基づいてデータ送信が送られてもよいように、ワイヤレスデバイスからデュアルリンクハンドオーバー能力の表示を受信してもよい。ＢＳデュアルリンク能力モジュール１００５はまた、ハンドオーバー実行メッセージに応答して、ＳＮステータス転送メッセージまたはベアラデータメッセージをターゲット基地局に送信してもよい。いくつかのケースでは、ＢＳデュアルリンク能力モジュール１００５は、デュアルリンクハンドオーバー能力の第１の表示をソース基地局に送信してもよい。ＢＳデュアルリンク能力モジュール１００５はまた、データ送信が第２の表示に少なくとも部分的に基づいて送られるように、デュアルリンクハンドオーバー能力の第２の表示をソース基地局から受信してもよい。いくつかの例では、デュアルリンクハンドオーバー能力は、短い待ち時間能力に関係付けられていてもよい。
【００９７】
［０１０５］
ベアラ転送モジュール１０１０は、図２〜３を参照してここで説明したように、ハンドオーバー実行メッセージに応答して、ＳＮステータス転送メッセージまたはベアラデータメッセージをソース基地局から受信してもよい。
【００９８】
［０１０６］
図１１は、本開示のさまざまな態様にしたがった、デュアルリンクハンドオーバーをサポートする基地局１０５を含むシステム１１００のダイヤグラムを示す。システム１１００は、図１、２および８〜１０を参照してここで説明した、ワイヤレスデバイス８００、ワイヤレスデバイス９００、または、基地局１０５の例であってもよい、基地局１０５−ｇを含んでいてもよい。基地局１０５−ｇは、図８〜１０を参照して説明した基地局デュアルリンクハンドオーバーモジュール８１０の例であってもよい、基地局デュアルリンクハンドオーバーモジュール１１１０を含んでいてもよい。基地局１０５−ｇはまた、通信を送信するためのコンポーネントと通信を受信するためのコンポーネントとを含む、双方向音声およびデータ通信のためのコンポーネントを含んでいてもよい。例えば、基地局１０５−ｇは、ＵＥ１１５−ｄまたはＵＥ１１５−ｅと双方向に通信してもよい。基地局１０５−ｇは、異なるＵＥ１１５に対して、ソース基地局１０５またはターゲット基地局１０５の役割の両方を実行してもよい。
【００９９】
［０１０７］
いくつかのケースでは、基地局１０５−ｇは、１つ以上のワイヤードバックホールリンクを有していてもよい。基地局１０５−ｇは、コアネットワーク１３０−ｂへのワイヤードバックホールリンク（例えば、Ｓ１インターフェース、等)を有していてもよい。基地局１０５−ｇはまた、基地局間バックホールリンク（例えば、Ｘ２インターフェース）を介して、基地局１０５−ｈおよび基地局１０５−ｉのような他の基地局１０５と通信してもよい。基地局１０５のそれぞれは、同じまたは異なるワイヤレス通信テクノロジーを使用して、ＵＥ１１５と通信してもよい。いくつかのケースでは、基地局１０５−ｇは、基地局通信モジュール１１２５を利用して、１０５−ｈまたは１０５−ｉのような他の基地局と通信してもよい。いくつかの例では、基地局通信モジュール１１２５は、基地局１０５のうちのいくつかの間の通信を提供するために、ＬＴＥ／ＬＴＥ−Ａワイヤレス通信ネットワークテクノロジー内のＸ２インターフェースを提供してもよい。いくつかの例では、基地局１０５−ｇは、コアネットワーク１３０−ｂを通して、他の基地局と通信してもよい。いくつかのケースでは、基地局１０５−ｇは、ネットワーク通信モジュール１１３０を通して、コアネットワーク１３０−ｂと通信してもよい。
【０１００】
［０１０８］
基地局１０５−ｇは、プロセッサ１１０５、（ソフトウェア（ＳＷ）１１２０を含む）メモリ１１１５、トランシーバ１１３５、および、アンテナ１１４０を含んでいてもよく、これらそれぞれは、互いに（例えば、バスシステム１１４５を通して）直接的にまたは間接的に通信してもよい。トランシーバ１１３５は、アンテナ１１４０を介して、マルチモードデバイスであってもよいＵＥ１１５と双方向に通信するように構成されていてもよい。トランシーバ１１３５（または、基地局１０５−ｇの他のコンポーネント）は、アンテナ１１４０を介して、（示していない）１つ以上の他の基地局と双方向に通信するように構成されていてもよい。トランシーバ１１３５は、パケットを変調して、変調したパケットを送信のためにアンテナ１１４０に提供し、アンテナ１１４０から受け取ったパケットを復調するように構成されているモデムを含んでいてもよい。基地局１０５−ｇは、それぞれ１つ以上の関係付けられているアンテナ１１４０を有する、複数のトランシーバ１１３５を含んでいてもよい。トランシーバは、図８の組み合わされた受信機８０５と送信機８１５との例であってもよい。
【０１０１】
［０１０９］
メモリ１１１５は、ＲＡＭおよびＲＯＭを含んでいてもよい。メモリ１１１５はまた、実行されたときに、プロセッサ１１０５に、ここで説明したさまざまな機能（例えば、デュアルリンクハンドオーバー、カバレッジ強化技術、呼処理、データベース管理、メッセージルーティング、等）を実行させるように構成されている命令を含む、コンピュータ読取可能、コンピュータ実行可能なソフトウェアコード１１２０を記憶してもよい。代替的に、ソフトウェアコード１１２０は、プロセッサ１１０５によって直接的に実行可能でなくてもよいが、例えば、コンパイルされて実行されるときに、コンピュータにここで説明した機能を実行させるように構成されていてもよい。プロセッサ１１０５は、例えばＣＰＵ、マイクロ制御装置、ＡＳＩＣ、等のようなインテリジェントハードウェアデバイスを含んでいてもよい。プロセッサ１１０５は、エンコーダ、キュー処理モジュール、ベースバンドプロセッサ、無線ヘッド制御装置、デジタル信号プロセッサ（ＤＳＰ）、およびこれらに類するもののような、さまざまな特殊目的プロセッサを含んでいてもよい。
【０１０２】
［０１１０］
基地局通信モジュール１１２５は、他の基地局１０５との通信を管理してもよい。通信管理モジュールは、他の基地局１０５と協同してＵＥ１１５との通信を制御するための制御装置またはスケジューラを含んでいてもよい。例えば、基地局通信モジュール１１２５は、ビームフォーミングまたはジョイント送信のようなさまざまな干渉緩和技術のために、ハンドオーバー手順のための、または、ＵＥ１１５への送信のためのスケジューリングを調整してもよい。
【０１０３】
［０１１１］
ワイヤレスデバイス４００、ワイヤレスデバイス５００、デュアルリンクハンドオーバーモジュール４１０、システム７００、ワイヤレスデバイス８００、ワイヤレスデバイス９００、基地局デュアルリンクハンドオーバーモジュール８１０−ｂ、および、システム１１００のコンポーネントは、ハードウェアにおいて適用可能な機能のうちのいくつかまたはすべてを実行するように適合されている少なくとも１つのＡＳＩＣにより、個々にまたは集合的に、実現してもよい。代替的に、機能は、少なくとも１つのＩＣ上で、１つ以上の他の処理ユニット（またはコア）によって実行してもよい。他の例では、他のタイプの集積回路（例えば、構造化／プラットフォームＡＳＩＣ、ＦＰＧＡ、または、別の半カスタムＩＣ）を使用してもよく、これらは、技術的に既知の任意の方法でプログラムされていてもよい。各ユニットの機能はまた、メモリ中で具現化され、１つ以上の汎用または特定用途向けプロセッサによって実行されるようにフォーマットされている命令により、全体的にまたは部分的に実現してもよい。
【０１０４】
［０１１２］
図１２は、本開示のさまざまな態様にしたがった、デュアルリンクハンドオーバーのための方法１２００を図示するフローチャートを示す。方法１２００の動作は、図１〜１１を参照して説明したように、ＵＥ１５１またはそのコンポーネントによって実現してもよい。例えば、方法１２００の動作は、図４〜７を参照して説明したように、デュアルリンクハンドオーバーモジュール４１０によって実行してもよい。いくつかの例では、ＵＥ１１５は、ＵＥ１１５の機能的要素を制御するためのコードのセットを実行して、以下で説明する機能を実行してもよい。追加的にまたは代替的に、ＵＥ１１５は、特殊目的ハードウェアを使用して、以下で説明する機能の態様を実行してもよい。
【０１０５】
［０１１３］
ブロック１２０５において、図２〜３を参照してここで説明したように、ＵＥ１１５は、ソース基地局からターゲット基地局へのハンドオーバーに関係付けられている接続再コンフィギュレーションメッセージを受信してもよい。ある例では、図５を参照してここで説明したように、ブロック１２０５の動作は、接続再コンフィギュレーションモジュール５０５によって実行してもよい。
【０１０６】
［０１１４］
ブロック１２１０において、図２〜３を参照してここで説明したように、ＵＥ１１５は、接続再コンフィギュレーションメッセージを受信した後、ソース基地局からのデータ送信を受信してもよい。ある例では、図５を参照してここで説明したように、ブロック１２１０の動作は、データモジュール５１０によって実行してもよい。
【０１０７】
［０１１５］
ブロック１２１５において、図２〜３を参照してここで説明したように、ＵＥ１１５は、接続再コンフィギュレーションメッセージを受信することに基づいて、ターゲット基地局とのアクセス手順を実行してもよい。ある例では、図５を参照してここで説明したように、ブロック１２１５の動作は、アクセスモジュール５１５によって実行してもよい。
【０１０８】
［０１１６］
ブロック１２２０において、図２〜３を参照してここで説明したように、ＵＥ１１５は、アクセス手順が成功したか否かを決定してもよい。ある例では、図５を参照してここで説明したように、ブロック１２２０の動作は、アクセスモジュール５１５によって実行してもよい。
【０１０９】
［０１１７］
ブロック１２２５において、図２〜３を参照してここで説明したように、ＵＥ１１５は、成功したアクセス手順に基づいて、ＭＡＣコンフィギュレーションをリセットし、ＲＬＣコンフィギュレーションをリセットし、または、ＰＤＣＰコンフィギュレーションを再確立し、または、これらの任意の組み合わせをしてもよい。ある例では、図５を参照してここで説明したように、ブロック１２２５の動作は、再コンフィギュレーションモジュール５２０によって実行してもよい。
【０１１０】
［０１１８］
図１３は、本開示のさまざまな態様にしたがった、デュアルリンクハンドオーバーのための方法１３００を図示するフローチャートを示す。方法１３００の動作は、図１〜１１を参照して説明したように、ＵＥ１１５またはそのコンポーネントによって実現してもよい。例えば、方法１３００の動作は、図４〜７を参照して説明したように、デュアルリンクハンドオーバーモジュール４１０によって実行してもよい。いくつかの例では、ＵＥ１１５は、ＵＥ１１５の機能的要素を制御するためのコードのセットを実行して、以下で説明する機能を実行してもよい。追加的にまたは代替的に、ＵＥ１１５は、特殊目的ハードウェアを使用して、以下で説明するような機能の態様を実行してもよい。方法１３００はまた、図１２の方法１２００の態様を組み込んでいてもよい。
【０１１１】
［０１１９］
ブロック１３０５において、図２〜３を参照してここで説明したように、表示に少なくとも部分的に基づいて、ハンドオーバーコマンドの後にデータ送信が受信されてもよいように、ＵＥ１１５は、デュアルリンクハンドオーバー能力の表示をソース基地局に送信してもよい。ある例では、図６を参照してここで説明したように、ブロック１３０５の動作は、デュアルリンク能力モジュール６０５によって実行してもよい。
【０１１２】
［０１２０］
ブロック１３１０において、図２〜３を参照してここで説明したように、ＵＥ１１５は、ソース基地局からターゲット基地局へのハンドオーバーに関係付けられている接続再コンフィギュレーションメッセージを受信してもよい。ある例では、図５を参照してここで説明したように、ブロック１３１０の動作は、接続再コンフィギュレーションモジュール５０５によって実行してもよい。
【０１１３】
［０１２１］
ブロック１３１５において、図２〜３を参照してここで説明したように、ＵＥ１１５は、接続再コンフィギュレーションメッセージを受信した後、ソース基地局からのデータ送信を受信してもよい。ある例では、図５を参照してここで説明したように、ブロック１３１５の動作は、データモジュール５１０によって実行してもよい。
【０１１４】
［０１２２］
ブロック１３２０において、図２〜３を参照してここで説明したように、ＵＥ１１５は、接続再コンフィギュレーションメッセージを受信することに基づいて、ターゲット基地局とのアクセス手順の実行に成功してもよい。ある例では、図５を参照してここで説明したように、ブロック１３２０の動作は、アクセスモジュール５１５によって実行してもよい。
【０１１５】
［０１２３］
ブロック１３２５において、図２〜３を参照してここで説明したように、ＵＥ１１５は、アクセス手順が成功したか否かを決定してもよい。ある例では、図５を参照してここで説明したように、ブロック１３２５の動作は、アクセスモジュール５１５によって実行してもよい。
【０１１６】
［０１２４］
ブロック１３３０において、図２〜３を参照してここで説明したように、ＵＥ１１５は、成功したアクセス手順に基づいて、ＭＡＣコンフィギュレーションをリセットし、ＲＬＣコンフィギュレーションをリセットし、または、ＰＤＣＰコンフィギュレーションを再確立し、または、これらの任意の組み合わせをしてもよい。ある例では、図５を参照してここで説明したように、ブロック１３３０の動作は、再コンフィギュレーションモジュール５２０によって実行してもよい。
【０１１７】
［０１２５］
図１４は、本開示のさまざまな態様にしたがった、デュアルリンクハンドオーバーのための方法１４００を図示するフローチャートを示す。方法１４００の動作は、図１〜１１を参照して説明したように、ＵＥ１１５またはそのコンポーネントによって実現してもよい。例えば、方法１４００の動作は、図４〜７を参照して説明したように、デュアルリンクハンドオーバーモジュール４１０によって実現してもよい。いくつかの例では、ＵＥ１１５は、ＵＥ１１５の機能的要素を制御するためのコードのセットを実行して、以下で説明する機能を実行してもよい。追加的にまたは代替的に、ＵＥ１１５は、特殊目的ハードウェアを使用して、以下で説明する機能の態様を実行してもよい。方法１４００はまた、図１２〜１３の方法１２００と１３００の態様を組み込んでいてもよい。
【０１１８】
［０１２６］
ブロック１４０５において、図２〜３を参照してここで説明したように、ＵＥ１１５は、ソース基地局からターゲット基地局へのハンドオーバーに関係付けられている接続再コンフィギュレーションメッセージを受信してもよい。ある例では、図５を参照してここで説明したように、ブロック１４０５の動作は、接続再コンフィギュレーションモジュール５０５によって実行してもよい。
【０１１９】
［０１２７］
ブロック１４１０において、図２〜３を参照してここで説明したように、ＵＥ１１５は、接続再コンフィギュレーションメッセージを受信した後、ソース基地局からのデータ送信を受信してもよい。ある例では、図５を参照してここで説明したように、ブロック１４１０の動作は、データモジュール５１０によって実行してもよい。
【０１２０】
［０１２８］
ブロック１４１５において、図２〜３を参照してここで説明したように、ＵＥ１１５は、接続再コンフィギュレーションメッセージを受信することに基づいて、ターゲット基地局とのアクセス手順を実行してもよい。ある例では、図５を参照してここで説明したように、ブロック１４１５の動作は、アクセスモジュール５１５によって実行してもよい。
【０１２１】
［０１２９］
ブロック１４２０において、図２〜３を参照してここで説明したように、ＵＥ１１５は、アクセス手順が成功したか否かを決定してもよい。ある例では、図５を参照してここで説明したように、ブロック１４２０の動作は、アクセスモジュール５１５によって実行してもよい。
【０１２２】
［０１３０］
ブロック１４２５において、図２〜３を参照してここで説明したように、ＵＥ１１５は、成功したアクセス手順に基づいて、ＭＡＣコンフィギュレーションをリセットし、ＲＬＣコンフィギュレーションをリセットし、ＰＤＣＰコンフィギュレーションを再確立し、または、これらの任意の組み合わせをしてもよい。ある例では、図５を参照してここで説明したように、ブロック１４２５の動作は、再コンフィギュレーションモジュール５２０によって実行してもよい。
【０１２３】
［０１３１］
ブロック１４３０において、図２〜３を参照してここで説明したように、ＵＥ１１５は、リセットされたＭＡＣコンフィギュレーション、リセットされたＲＬＣコンフィギュレーション、再確立されたＰＤＣＰコンフィギュレーション、または、これらの任意の組み合わせに基づいて、ターゲット基地局からの後続データ送信を受信してもよい。ある例では、図５を参照してここで説明したように、ブロック１４３０の動作は、データモジュール５１０によって実行してもよい。
【０１２４】
［０１３２］
図１５は、本開示のさまざまな態様にしたがった、デュアルリンクハンドオーバーのための方法１５００を図示するフローチャートを示す。方法１５００の動作は、図１〜１１を参照して説明したように、基地局１０５またはそのコンポーネントによって実現してもよい。例えば、方法１５００の動作は、図８〜１１を参照して説明したように、基地局デュアルリンクハンドオーバーモジュール８１０によって実行してもよい。いくつかの例では、基地局１０５は、基地局１０５の機能的要素を制御するためのコードのセットを実行して、以下で説明する機能を実行してもよい。追加的にまたは代替的に、基地局１０５は、特殊目的ハードウェアを使用して、以下で説明する機能の態様を実行してもよい。方法１５００はまた、図１２〜１４の方法１２００、１３００、および、１４００の態様を組み込んでいてもよい。
【０１２５】
［０１３３］
ブロック１５０５において、図２〜３を参照してここで説明したように、基地局１０５は、ワイヤレスデバイスのハンドオーバーに関係付けられている接続再コンフィギュレーションメッセージをターゲット基地局に送ってもよい。ある例では、図９を参照してここで説明したように、ブロック１５０５の動作は、ＢＳ接続再コンフィギュレーションモジュール９０５によって実行してもよい。
【０１２６】
［０１３４］
ブロック１５１０において、図２〜３を参照してここで説明したように、基地局１０５は、接続再コンフィギュレーションメッセージを送った後、データ送信をワイヤレスデバイスに送ってもよい。ある例では、図９を参照してここで説明したように、ブロック１５１０の動作は、ＢＳデータモジュール９１０によって実行してもよい。
【０１２７】
［０１３５］
ブロック１５１５において、図２〜３を参照してここで説明したように、基地局１０５は、ワイヤレスデバイスがターゲット基地局に対するアクセス手順の実行に成功した後、ターゲット基地局またはワイヤレスデバイスからハンドオーバー実行メッセージを受信してもよい。ある例では、図９を参照してここで説明したように、ブロック１５１５の動作は、ハンドオーバー実行モジュール９１５によって実行してもよい。
【０１２８】
［０１３６］
図１６は、本開示のいくつかの態様にしたがった、デュアルリンクハンドオーバーのための方法１６００を図示するフローチャートを示す。方法１６００の動作は、図１〜１１を参照して説明したような、基地局１０５またはそのコンポーネントによって実現してもよい。例えば、方法１６００の動作は、図８〜１１を参照して説明したような、基地局デュアルリンクハンドオーバーモジュール８１０によって実行してもよい。いくつかの例では、基地局１０５は、基地局１０５の機能的要素を制御するためのコードのセットを実行して、以下で説明する機能を実行してもよい。追加的にまたは代替的に、基地局１０５は、特殊目的ハードウェアを使用して、以下で説明する機能の態様を実行してもよい。方法１６００はまた、図１２〜１５の方法１２００、１３００、１４００、および１５００の態様を組み込んでいてもよい。
【０１２９】
［０１３７］
ブロック１６０５において、図２〜３を参照してここで説明したように、表示に少なくとも部分的に基づいてデータ送信が送られてもよいように、基地局１０５は、ワイヤレスデバイスからデュアルリンクハンドオーバー能力の表示を受信してもよい。ある例では、図１０を参照してここで説明したように、ブロック１６０５の動作は、ＢＳデュアルリンク能力モジュール１００５によって実行してもよい。
【０１３０】
［０１３８］
ブロック１６１０において、図２〜３を参照してここで説明したように、基地局１０５は、ワイヤレスデバイスのハンドオーバーに関係付けられている接続コンフィギュレーションメッセージをターゲット基地局に送ってもよい。ある例では、図９を参照してここで説明したように、ブロック１６１０の動作は、ＢＳ接続再コンフィギュレーションモジュール９０５によって実行してもよい。
【０１３１】
［０１３９］
ブロック１６１５において、図２〜３を参照してここで説明したように、基地局１０５は、接続再コンフィギュレーションメッセージを送った後、データ送信をワイヤレスデバイスに送ってもよい。ある例では、図９を参照してここで説明したように、ブロック１６１５の動作は、ＢＳデータモジュール９１０によって実行してもよい。
【０１３２】
［０１４０］
ブロック１６２０において、図２〜３を参照してここで説明したように、基地局１０５は、ワイヤレスデバイスがターゲット基地局に対するアクセス手順の実行に成功した後、ターゲット基地局またはワイヤレスデバイスからハンドオーバー実行メッセージを受信してもよい。ある例では、図９を参照してここで説明したように、ブロック１６２０の動作は、ハンドオーバー実行モジュール９１５によって実行してもよい。
【０１３３】
［０１４１］
図１７は、本開示のさまざまな態様にしたがった、デュアルリンクハンドオーバーのための方法１７００を図示するフローチャートを示す。方法１７００の動作は、図１〜１１を参照して説明したように、基地局１０５またはそのコンポーネントによって実現してもよい。例えば、方法１７００の動作は、図８〜１１を参照して説明したように、基地局デュアルリンクハンドオーバーモジュール８１０によって実行してもよい。いくつかの例では、基地局１０５は、基地局１０５の機能的要素を制御するためのコードのセットを実行して、以下で説明する機能を実行してもよい。追加的にまたは代替的に、基地局１０５は、特殊目的ハードウェアを使用して、以下で説明する機能の態様を実行してもよい。方法１７００はまた、図１２〜１６の方法１２００、１３００、１４００、１５００、および、１６００の態様を組み込んでいてもよい。
【０１３４】
［０１４２］
ブロック１７０５において、図２〜３を参照してここで説明したように、基地局１０５は、ソース基地局からハンドオーバー準備要求を受信してもよい。ある例では、図９を参照してここで説明したように、ブロック１７０５の動作は、ハンドオーバー準備モジュール９２０によって実行してもよい。
【０１３５】
［０１４３］
ブロック１７１０において、図２〜３を参照してここで説明したように、基地局１０５は、ワイヤレスデバイスからアクセス要求を受信してもよい。ある例では、図９を参照してここで説明したように、ブロック１７１０の動作は、ＢＳアクセスモジュール９２５によって実行してもよい。
【０１３６】
［０１４４］
ブロック１７１５において、図２〜３を参照してここで説明したように、基地局１０５は、アクセス要求に基づいて、ワイヤレスデバイスから接続再コンフィギュレーション完了メッセージを受信してもよい。ある例では、図５を参照してここで説明したように、ブロック１７１５の動作は、アクセスモジュール５１５によって実行してもよい。
【０１３７】
［０１４５］
ブロック１７２０において、図２〜３を参照してここで説明したように、基地局１０５は、接続再コンフィギュレーション完了メッセージに基づいて、ハンドオーバー実行メッセージをソース基地局に送信してもよい。ある例では、図９を参照してここで説明したように、ブロック１７２０の動作は、ハンドオーバー実行モジュール９１５によって実行してもよい。
【０１３８】
［０１４６］
したがって、方法１２００、１３００、１４００、１５００、１６００、および、１７００は、デュアルリンクハンドオーバーをサポートしてもよい。方法１２００、１３００、１４００、１５００、１６００、および、１７００は、可能性あるインプリメンテーションを説明しており、他のインプリメンテーションが可能であるように、動作およびステップは、再配置またはそうでなければ修正してもよいことを留意すべきである。いくつかの例では、方法１２００、１３００、１４００、１５００、１６００、および、１７００のうちの２つ以上からの態様を組み合わせてもよい。
【０１３９】
［０１４７］
ここでの説明は、例を提供するものであり、特許請求の範囲において記載される、範囲、適用可能性、または例を限定するものではない。本開示の範囲から逸脱することなく、説明した要素の機能および構成において変更を行ってもよい。さまざまな例は、適切に、さまざまな手順またはコンポーネントを、省略、置換、または追加してもよい。例えば、説明した方法は、説明したものとは異なる順序で実行してもよく、さまざまなステップを追加、省略、または組み合わせてもよい。さらに、いくつかの例に関して説明した特徴は、他の例において組み合わせてもよい。
【０１４０】
［０１４８］
ここで説明した技術は、コード分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数分割多元接続（ＳＣ−ＦＤＭＡ）、および、他のシステムのような、さまざまなワイヤレス通信システムに対して使用してもよい。用語「システム」および「ネットワーク」は、交換可能に使用されることが多い。ＣＤＭＡシステムは、ＣＤＭＡ２０００、ユニバーサル地上無線アクセス（ＵＴＲＡ）等のような無線テクノロジーを実現してもよい。ＣＤＭＡ２０００は、ＩＳ−２０００、ＩＳ−９５、および、ＩＳ−８５６標準規格をカバーする。ＩＳ−２０００リリース０およびＡは、ＣＤＭＡ２０００  １Ｘ、１Ｘ、等として一般的に呼ばれている。ＩＳ−８５６（ＴＩＡ−８５６）は、ＣＤＭＡ２０００  １ｘＥＶ−ＤＯ、高レートパケットデータ（ＨＲＰＤ）等として一般的に呼ばれている。ＵＴＲＡは、ワイドバンドＣＤＭＡ（ＷＣＤＭＡ（登録商標））およびＣＤＭＡの他の変形を含む。ＴＤＭＡシステムは、移動通信のためのグローバルシステム（ＧＳＭ（登録商標））のような無線テクノロジーを実現してもよい。ＯＦＤＭＡシステムは、ウルトラモバイルブロードバンド（ＵＭＢ）、進化型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡ、等のような無線テクノロジーを実現してもよい。ＵＴＲＡおよびＥ−ＵＴＲＡは、ユニバーサル移動体電気通信システム（ＵＭＴＳ）の一部である。３ＧＰＰ（登録商標）ロングタームエボリューション（ＬＴＥ）およびＬＴＥ−アドバンスト（ＬＴＥ−Ａ）は、Ｅ−ＵＴＲＡを使用するユニバーサル移動体電気通信システム（ＵＭＴＳ）の新リリースである。ＵＴＲＡ、Ｅ−ＵＴＲＡ、ＵＭＴＳ、ＬＴＥ、ＬＴＥ−Ａおよび移動体通信のためのグローバルシステム（ＧＳＭ）は、「第３世代パートナーシッププロジェクト」（３ＧＰＰ）という名の組織からの文書中で説明されている。ＣＤＭＡ２０００およびＵＭＢは、「第３世代パートナーシッププロジェクト２」（３ＧＰＰ２）という名の組織からの文書中で説明されている。ここで説明した技術は、上述したシステムおよび無線テクノロジーと共に、他のシステムおよび無線テクノロジーに対して使用してもよい。しかしながら、ここでの説明は、例の目的でＬＴＥシステムを説明しており、ＬＴＥ専門用語が上記の説明のほとんどで使用されているが、この技術はＬＴＥアプリケーションを超えて適用可能である。
【０１４１】
［０１４９］
ここで説明したこのようなネットワークを含むＬＴＥ／ＬＴＥ−Ａネットワークでは、用語進化型ノードＢ（ｅＮＢ）は、一般的に基地局を説明するために使用されているかもしれない。ここで説明したワイヤレス通信システムは、異なるタイプのｅＮＢがさまざまな地理的領域に関するカバレッジを提供する、ヘテロジニアスなＬＴＥ／ＬＴＥ−Ａネットワークを含んでいてもよい。例えば、各ｅＮＢまたは基地局は、マクロセル、スモールセル、または、他のタイプのセルのための通信カバレッジを提供してもよい。用語「セル」は、文脈に依存して、基地局、基地局に関係付けられているキャリアまたはコンポーネントキャリア、あるいは、キャリアまたは基地局のカバレッジエリア（例えば、セクタ等）を説明するために使用することができる３ＧＰＰ用語である。
【０１４２】
［０１５０］
基地局は、基地トランシーバ局、無線基地局、アクセスポイント、無線トランシーバ、ノードＢ、ｅノードＢ（ｅＮＢ）、ホームノードＢ、ホームｅノードＢ、または、他の何らかの適切な専門用語を含んでいてもよい、または、このようなものとして当業者によって呼ばれていてもよい。基地局についての地理的カバレッジエリアは、カバレッジエリアの一部のみを構成するセクタに分割してもよい。ここで説明したワイヤレス通信システムは、異なるタイプの基地局（例えば、マクロまたはスモールセル基地局）を含んでいてもよい。ここで説明したＵＥは、マクロｅＮＢ、スモールセルｅＮＢ、中継基地局、および、これらに類するものを含む、さまざまなタイプの基地局およびネットワーク機器と通信することができてもよい。異なるテクノロジーに対してオーバーラップしている地理的カバレッジエリアがあってもよい。
【０１４３】
［０１５１］
マクロセルは一般的に、比較的大きい地理的エリア（例えば、半径数キロメータ）をカバーし、ネットワークプロバイダにサービス加入しているＵＥによる無制限のアクセスを可能にしてもよい。スモールセルは、マクロセルと比較して、低電力基地局であり、マクロセルと同じまたは異なる（例えば、ライセンスされている、ライセンスされていない、等）周波数帯域で動作してもよい。スモールセルは、さまざまな例にしたがって、ピコセル、フェムトセル、および、マイクロセルを含んでいてもよい。ピコセルは、例えば、小さい地理的エリアをカバーしてもよく、ネットワークプロバイダにサービス加入しているＵＥによる制限のないアクセスを可能にしてもよい。フェムトセルはまた、小さい地理的エリア（例えば、家）をカバーし、フェムトセルとの関係を有するＵＥ（例えば、閉じられた加入者グループ（ＣＳＧ）中におけるＵＥ、家にいるユーザのためのＵＥ、およびこれらに類するもの）による制限されたアクセスを提供することができる。マクロセルのためのｅＮＢは、マクロｅＮＢとして呼ばれることがある。スモールセルのためのｅＮＢは、スモールセルｅＮＢ、ピコｅＮＢ、フェムトｅＮＢ、または、ホームｅＮＢとして呼ばれることがある。ｅＮＢは、１つ以上の（例えば、２つ、３つ、４つおよびこれらに類するもの）セル（例えば、コンポーネントキャリア）をサポートしてもよい。ＵＥは、マクロｅＮＢ、スモールセルｅＮＢ、中継基地局、およびこれらに類するものを含む、さまざまなタイプの基地局およびネットワーク機器と通信できてもよい。
【０１４４】
［０１５２］
ここで説明したワイヤレス通信システムは、同期または非同期動作をサポートしてもよい。同期動作について、基地局は、同様のフレームタイミングを有してもよく、異なる基地局からの送信は、時間的にほぼアラインされていてもよい。非同期動作について、基地局は、異なるフレームタイミングを有していてもよく、異なる基地局からの送信は、時間的にアラインされていないかもしれない。ここで説明した技術は、同期または非同期動作のいずれかのために使用してもよい。
【０１４５】
［０１５３］
ここで説明したダウンリンク送信はまた、フォワードリンク送信と呼ばれることがあり、一方でアップリンク送信はまた、リバースリンク送信と呼ばれることがある。−例えば、図１および２のワイヤレス通信システム１００および２００を含む−ここで説明した各通信リンクは、１以上の搬送波を含んでいてもよく、各搬送波は、複数の副搬送波で構成されている信号（例えば、異なる周波数の波形信号）であってもよい。各変調された信号は、異なる副搬送波上で送られてもよく、制御情報（例えば、基準信号、制御チャネル等）、オーバーヘッド情報、ユーザデータ等を搬送してもよい。ここで説明した通信リンク（例えば、図１の通信リンク１２５）は、（例えば、ペアスペクトルリソースを使用する）周波数分割デュプレクス（ＦＤＤ）、または、（例えば、アンペアスペクトルリソースを使用する）時分割デュプレクス（ＴＤＤ）動作を使用して、双方向通信を送信してもよい。フレーム構造は、ＦＤＤ（例えば、フレーム構造タイプ１）およびＴＤＤ（例えば、フレーム構造タイプ２）に対して規定されていてもよい。
【０１４６】
［０１５４］
添付の図面に関連してここで述べた説明は、例示的なコンフィギュレーションを説明しており、実現することができるまたは特許請求の請求項の範囲内にあるすべての例を表すものではない。ここで使用する用語「例示的」は、「例、実例、または例示として機能すること」を意味し、「好ましい」または「他の例よりも有利である」ということを意味しない。詳細な説明は、説明された技術の理解を提供する目的で、特定の詳細を含む。しかしながら、これらの技術は、これらの特定の詳細なしで実施できる。いくつかの事例では、周知の構造およびデバイスは、説明した例の概念を曖昧にするのを避けるために、ブロックダイヤグラム形式で示されている。
【０１４７】
［０１５５］
添付の図面では、類似したコンポーネントまたは特徴は、同じ参照ラベルを有しているかもしれない。さらに、同じタイプのさまざまなコンポーネントは、参照ラベルに、ダッシュおよび類似のコンポーネント間で区別する第２のラベルを後続させることによって、区別することができる。本明細書で第１の参照ラベルのみが使用されている場合には、本説明は、第２の参照ラベルにかかわらず、同じ第１の参照ラベルを有する類似のコンポーネントのうちのいずれか１つに適用可能である。
【０１４８】
［０１５６］
ここで説明した情報および信号は、さまざまな異なるテクノロジーおよび技術のうちのいずれかを使用して表わされているかもしれない。例えば、上記の説明全体に渡って参照されるかもしれない、データ、命令、コマンド、情報、信号、ビット、シンボル、およびチップは、電圧、電流、電磁波、磁界または磁粒、光界または光粒、あるいは、これらの任意の組み合わせにより表わされているかもしれない。
【０１４９】
［０１５７］
ここでの開示に関連して説明した、さまざまな例示的なブロックおよびモジュールは、ここで説明した機能を実行するように設計された、汎用プロセッサ、ＤＳＰ、ＡＳＩＣ、ＦＰＧＡまたは他のプログラマブル論理デバイス、ディスクリートゲートまたはトランジスタ論理、ディスクリートハードウェアコンポーネント、あるいは、これらの任意の組み合わせを用いて、実現または実行してもよい。汎用プロセッサはマイクロプロセッサであってもよいが、代替実施形態では、プロセッサは、任意の従来のプロセッサ、制御装置、マイクロ制御装置、または状態機械であってもよい。プロセッサはまた、コンピューティングデバイスの組み合わせ（例えば、ＤＳＰとマイクロプロセッサの組み合わせ、複数のマイクロプロセッサ、ＤＳＰのコアと関連する１つ以上のマイクロプロセッサ、または他の何らかのこのようなコンフィギュレーション）として実現してもよい。
【０１５０】
［０１５８］
ここで説明した機能は、ハードウェア、プロセッサによって実行されるソフトウェア、ファームウェア、または、これらの任意の組み合わせで実現してもよい。プロセッサによって実行されるソフトウェアで実現する場合、機能は、１つ以上の命令またはコードとしてコンピュータ読取可能媒体上に記憶され、あるいは、それを通して送信してもよい。他の例およびインプリメンテーションは、本開示および添付の特許請求の範囲内にある。例えば、ソフトウェアの性質により、上記に説明された機能は、プロセッサによって実行されるソフトウェア、ハードウェア、ファームウェア、ハードワイヤリング、または、これらの任意の組み合わせを使用して実現することができる。機能を実現する特徴はまた、機能の一部分が異なる物理的ロケーションにおいて実現されるように分散されることを含む、さまざまなポジションにおいて物理的に位置付けられてもよい。特許請求の範囲を含め、ここで使用するように、用語「および／または」は、２つ以上の項目のリスト中で使用するとき、リストされている項目のうちのいずれか１つをそれ自体により用いることができること、または、リストされている項目のうちの２つ以上の任意の組み合わせを用いることができることを意味している。例えば、コンポジションが、コンポーネントＡ、Ｂ、および／または、Ｃを含んでいるとして説明されている場合、コンポジションは、Ａだけ、Ｂだけ、Ｃだけ、ＡとＢとの組み合わせ、ＡとＣとの組み合わせ、ＢとＣとの組み合わせ、または、ＡとＢとＣとの組み合わせを含むことができる。また、特許請求の範囲を含め、ここで使用するように、項目のリスト（例えば、「のうちの少なくとも１つ」または「のうちの１つ以上」のようなフレーズにより始まる項目のリスト）中で使用する「または」は、包括的リストを示し、例えば、「Ａ、Ｂ、または、Ｃのうちの少なくとも１つ」指すフレーズは、Ａ、Ｂ、Ｃ、Ａ−Ｂ、Ａ−Ｃ、Ｂ−Ｃ、および、Ａ−Ｂ−Ｃとともに、複数の同じ要素の任意の組み合わせ（例えば、Ａ−Ａ、Ａ−Ａ−Ａ、Ａ−Ａ−Ｂ、Ａ−Ａ−Ｃ、Ａ−Ｂ−Ｂ、Ａ−Ｃ−Ｃ、Ｂ−Ｂ、Ｂ−Ｂ−Ｂ、Ｂ−Ｂ−Ｃ、Ｃ−Ｃ、および、Ｃ−Ｃ−Ｃ、または、Ａ、Ｂ、および、Ｃの他の何らかの順序）をカバーするように意図されている。
【０１５１】
［０１５９］
ここで使用するように、フレーズ「に基づいて」は、条件の閉じたセットへの参照として解釈すべきではない。例えば、「条件Ａに基づく」のように説明される例示的なステップは、本開示の範囲から逸脱することなく、条件Ａおよび条件Ｂの両方に基づいていてもよい。言い換えると、ここで使用するように、フレーズ「基づいて」は、フレーズ「に少なくとも部分的に基づいて」と同じ方法で解釈すべきである。
【０１５２】
［０１６０］
当業者には既知の、または後に既知となる本開示の全体に渡って説明されたさまざまな態様の要素に対するすべての構造的および機能的な均等物は、参照によりここに明示的に組み込まれ、特許請求の範囲により包含されるように意図されている。さらに、ここで開示されるいずれも、そのような開示が特許請求の範囲内において明示的に記載されているか否かにかかわらず、公にささげられるように意図されているものではない。ワード「モジュール」、「メカニズム」、「要素」、「デバイス」、および、これらに類するものは、ワード「手段」に置き換えられないかもしれない。このようなことから、要素がフレーズ「のための手段」を使用して明示的に記載されない限り、どの請求項の要素もミーンズプラスファンクションとして解釈すべきではない。
【０１５３】
［０１６１］
コンピュータ読取可能媒体は、１つの場所から別の場所へのコンピュータプログラムの転送を促進する任意の媒体を含む、非一時的コンピュータ記憶媒体および通信媒体の両方を含む。非一時的記憶媒体は、汎用または特殊目的コンピュータによってアクセスすることができる任意の利用可能な媒体であってもよい。限定ではなく例として、非一時的コンピュータ読取可能媒体は、ＲＡＭ、ＲＯＭ、電気的消去可能プログラマブルリードオンリーメモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用することができ、汎用または特殊目的コンピュータ、あるいは、汎用または特殊目的プロセッサによってアクセスすることができる他の何らかの非一時的媒体を備えることができる。また、任意の接続は、コンピュータ読取可能媒体と適切に呼ばれる。例えば、ソフトウェアが、同軸ケーブル、光ファイバケーブル、撚り対、デジタル加入者線（ＤＳＬ）、あるいは、赤外線、無線、および、マイクロ波のようなワイヤレステクノロジーを使用して、ウェブサイトから、サーバから、または、他の遠隔ソースから送信される場合、同軸ケーブル、光ファイバケーブル、撚り対、ＤＳＬ、あるいは、赤外線、無線、および、マイクロ波のようなワイヤレステクノロジーは、媒体の定義に含まれる。ここで使用したようなディスク（ｄｉｓｋおよびｄｉｓｃ）は、ＣＤ、レーザーディスク（登録商標）、光ディスク、デジタル汎用ディスク（ＤＶＤ）、フロッピー（登録商標）ディスクおよびブルーレイ（登録商標）ディスクを含むが、通常、ディスク（ｄｉｓｋ）はデータを磁気的に再生する一方で、ディスク（ｄｉｓｃ）はデータをレーザにより光学的に再生する。上記の組み合わせもまた、コンピュータ読取可能媒体の範囲内に含まれる。
【０１５４】
［０１６２］
ここでの説明は、当業者が本開示を製造または使用することを可能にするように提供されている。本開示に対するさまざまな修正は、当業者にとって容易に明らかとなり、ここで定義される一般的な原理は、本開示の範囲から逸脱することなく他のバリエーションに適用してもよい。したがって、本開示は、ここで説明された例および設計に限定されず、ここで開示された原理および新規な特徴と一致する最も広い範囲を与えられる。
【図１】
2020010355.tif 000003
【図２】
2020010355.tif 000004
【図３】
2020010355.tif 000005
【図４】
2020010355.tif 000006
【図５】
2020010355.tif 000007
【図６】
2020010355.tif 000008
【図７】
2020010355.tif 000009
【図８】
2020010355.tif 000010
【図９】
2020010355.tif 000011
【図１０】
2020010355.tif 000012
【図１１】
2020010355.tif 000013
【図１２】
2020010355.tif 000014
【図１３】
2020010355.tif 000015
【図１４】
2020010355.tif 000016
【図１５】
2020010355.tif 000017
【図１６】
2020010355.tif 000018
【図１７】
2020010355.tif 000019
【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のためのワイヤレス通信の方法において、
前記ＵＥによって、ソース基地局からの第１のデータ送信を受信し、前記ＵＥは、媒体アクセス制御（ＭＡＣ）コンフィギュレーション、無線リンク制御（ＲＬＣ）コンフィギュレーション、および、パケットデータ収束プロトコル（ＰＤＣＰ）コンフィギュレーションを有することと、
前記ソース基地局からターゲット基地局へのハンドオーバーに関係付けられている接続再コンフィギュレーションメッセージを受信することと、
前記接続再コンフィギュレーションメッセージを受信することに少なくとも部分的に基づいて、前記ターゲット基地局とのアクセス手順を実行し、前記ＵＥは、前記接続再コンフィギュレーションメッセージを受信した後、前記ソース基地局からのデータ送信を受信できることと、
前記アクセス手順を実行することに少なくとも部分的に基づいて、前記ＭＡＣコンフィギュレーションをリセットすることと、前記ＲＬＣコンフィギュレーションをリセットすることと、または、前記ＰＤＣＰコンフィギュレーションを再確立することと、または、これらの任意の組み合わせをすることとを含む方法。
【請求項２】
前記接続再コンフィギュレーションメッセージを受信した後、前記ソース基地局からの第２のデータ送信を受信することさらに含む請求項１記載の方法。
【請求項３】
デュアルリンクハンドオーバー能力の表示を前記ソース基地局に送信することをさらに含み、
前記第２のデータ送信は、前記表示に少なくとも部分的に基づいて受信される請求項２記載の方法。
【請求項４】
前記デュアルリンクハンドオーバー能力は、短い待ち時間能力に関係付けられている請求項３記載の方法。
【請求項５】
前記リセットされたＭＡＣコンフィギュレーション、前記リセットされたＲＬＣコンフィギュレーション、前記再確立されたＰＤＣＰコンフィギュレーション、または、これらの任意の組み合わせに少なくとも部分的に基づいて、前記ターゲット基地局からの後続データ送信を受信することをさらに含む請求項２記載の方法。
【請求項６】
前記第２のデータ送信および前記後続データ送信は、同じＲＬＣ／ＰＤＣＰスタックを使用する請求項５記載の方法。
【請求項７】
前記ＭＡＣコンフィギュレーションをリセットすること、前記ＲＬＣコンフィギュレーションをリセットすること、または、前記ＰＤＣＰコンフィギュレーションを再確立すること、または、これらの任意の組み合わせをすることより前に、前記ターゲット基地局からの第３のデータ送信を受信することをさらに含む請求項２記載の方法。
【請求項８】
前記第３のデータ送信は、ソース基地局暗号化送信である請求項７記載の方法。
【請求項９】
前記第３のデータ送信は、前記ソース基地局からの前記第２のデータ送信と同じ論理チャネルに対応する請求項７記載の方法。
【請求項１０】
前記アクセス手順が成功したか否かを決定することをさらに含み、
前記ＭＡＣコンフィギュレーションをリセットすることと、前記ＲＬＣコンフィギュレーションをリセットすることと、または、前記ＰＤＣＰコンフィギュレーションを再確立することと、または、これらの任意の組み合わせをすることとは、前記アクセス手順が成功したという決定に少なくとも部分的に基づいている請求項１記載の方法。
【請求項１１】
前記アクセス手順が成功したという決定は、前記ターゲット基地局からコンテンション解消メッセージを受信することに少なくとも部分的に基づいている請求項１０記載の方法。
【請求項１２】
前記接続再コンフィギュレーションメッセージを受信することに少なくとも部分的に基づいて、無線リンクモニタリング（ＲＬＭ）手順を抑制することと、
前記アクセス手順が成功したか否かを決定することと、
前記アクセス手順が成功しなかったという決定に少なくとも部分的に基づいて、前記ソース基地局との前記ＲＬＭ手順を再開することをさらに含む請求項１記載の方法。
【請求項１３】
前記接続再コンフィギュレーションメッセージを受信することに少なくとも部分的に基づいて、無線リンクモニタリング（ＲＬＭ）手順を抑制することと、
前記アクセス手順が成功したか否かを決定することと、
前記アクセス手順が成功したという決定に少なくとも部分的に基づいて、前記ターゲット基地局との前記ＲＬＭ手順を再開することをさらに含む請求項１記載の方法。
【請求項１４】
前記アクセス手順が成功したか否かを決定することと、
前記アクセス手順が成功しなかったという決定に少なくとも部分的に基づいて、前記接続再コンフィギュレーションメッセージをパージすることと、
前記ソース基地局との通信を継続することとをさらに含む請求項１記載の方法。
【請求項１５】
ソース基地局におけるワイヤレス通信の方法において、
前記ソース基地局によって、前記ワイヤレスデバイスのターゲット基地局へのハンドオーバーに関係付けられている接続再コンフィギュレーションメッセージをワイヤレスデバイスに送ることと、
前記接続再コンフィギュレーションメッセージを送った後、データ送信を前記ワイヤレスデバイスに送ることと、
前記ワイヤレスデバイスが前記ターゲット基地局に対するアクセス手順の実行に成功した後、ハンドオーバー実行メッセージを前記ターゲット基地局、または、前記ワイヤレスデバイスから受信することとを含む方法。
【請求項１６】
前記ワイヤレスデバイスから、前記ワイヤレスデバイスのデュアルリンクハンドオーバー能力の表示を受信することをさらに含み、前記データ送信は、前記表示に少なくとも部分的に基づいて送られる請求項１５記載の方法。
【請求項１７】
前記デュアルリンクハンドオーバー能力は、短い待ち時間能力に関係付けられている請求項１６記載の方法。
【請求項１８】
前記デュアルリンクハンドオーバー能力の表示を前記ターゲット基地局に送ることをさらに含む請求項１６記載の方法。
【請求項１９】
前記ハンドオーバー実行メッセージを受信することに応答して、前記ワイヤレスデバイスへの送信を停止することをさらに含む請求項１５記載の方法。
【請求項２０】
前記ハンドオーバー実行メッセージに応答して、シーケンス番号（ＳＮ）ステータス転送メッセージ、または、ベアラデータメッセージを前記ターゲット基地局に送信することをさらに含む請求項１５記載の方法。
【請求項２１】
ソース基地局におけるワイヤレス通信の方法において、
ワイヤレスデバイスから、前記ワイヤレスデバイスのデュアルリンクハンドオーバー能力の表示を受信することと、
ターゲット基地局がデュアルリンクハンドオーバーをサポートしないことを決定することと、
前記ターゲット基地局がデュアルリンクハンドオーバーをサポートしないという決定に少なくとも部分的に基づいて、前記ワイヤレスデバイスの前記ターゲット基地局へのハンドオーバーに関係付けられている接続再コンフィギュレーションメッセージの送信を止めることとを含む方法。
【請求項２２】
ユーザ機器（ＵＥ）のためのワイヤレス通信の装置において、
前記ＵＥによって、ソース基地局からの第１のデータ送信を受信し、前記ＵＥは、媒体アクセス制御（ＭＡＣ）コンフィギュレーション、無線リンク制御（ＲＬＣ）コンフィギュレーション、および、パケットデータ収束プロトコル（ＰＤＣＰ）コンフィギュレーションを有する手段と、
前記ソース基地局からターゲット基地局へのハンドオーバーに関係付けられている接続再コンフィギュレーションメッセージを受信する手段と、
前記接続再コンフィギュレーションメッセージを受信することに少なくとも部分的に基づいて、前記ターゲット基地局とのアクセス手順を実行し、前記ＵＥは、前記接続再コンフィギュレーションメッセージを受信した後、前記ソース基地局からのデータ送信を受信することができる手段と、
前記アクセス手順を実行することに少なくとも部分的に基づいて、前記ＭＡＣコンフィギュレーションをリセットし、前記ＲＬＣコンフィギュレーションをリセットし、または、前記ＰＤＣＰコンフィギュレーションを再確立し、または、これらの任意の組み合わせをする手段とを具備する装置。
【請求項２３】
前記接続再コンフィギュレーションメッセージを受信した後、前記ソース基地局からの第２のデータ送信を受信する手段をさらに具備する請求項２２記載の装置。
【請求項２４】
デュアルリンクハンドオーバー能力の表示を前記ソース基地局に送信する手段をさらに具備し、前記第２のデータ送信は、前記表示に少なくとも部分的に基づいて受信される請求項２３記載の装置。
【請求項２５】
前記デュアルリンクハンドオーバー能力は、短い待ち時間能力に関係付けられている請求項２４記載の装置。
【請求項２６】
前記リセットされたＭＡＣコンフィギュレーション、前記リセットされたＲＬＣコンフィギュレーション、前記再確立されたＰＤＣＰコンフィギュレーション、または、これらの任意の組み合わせに少なくとも部分的に基づいて、前記ターゲット基地局からの後続データ送信を受信する手段をさらに具備する請求項２３記載の装置。
【請求項２７】
前記第２のデータ送信および前記後続データ送信は、同じＲＬＣ／ＰＤＣＰスタックを使用する請求項２６記載の装置。
【請求項２８】
ソース基地局におけるワイヤレス通信の装置において、
前記ソース基地局によって、前記ワイヤレスデバイスのターゲット基地局へのハンドオーバーに関係付けられている接続再コンフィギュレーションメッセージをワイヤレスデバイスに送る手段と、
前記接続再コンフィギュレーションメッセージを送った後、データ送信を前記ワイヤレスデバイスに送る手段と、
前記ワイヤレスデバイスが前記ターゲット基地局に対するアクセス手順の実行に成功した後、ハンドオーバー実行メッセージを前記ターゲット基地局、または、前記ワイヤレスデバイスから受信する手段とを具備する装置。
【請求項２９】
前記ワイヤレスデバイスから、前記ワイヤレスデバイスのデュアルリンクハンドオーバー能力の表示を受信する手段をさらに具備し、前記データ送信は、前記表示に少なくとも部分的に基づいて送られる請求項２８記載の装置。
【請求項３０】
前記デュアルリンクハンドオーバー能力は、短い待ち時間能力に関係付けられている請求項２９記載の装置。
【請求項３１】
前記デュアルリンクハンドオーバー能力の表示を前記ターゲット基地局に送る手段をさらに具備する請求項２９記載の装置。
【請求項３２】
前記ハンドオーバー実行メッセージに応答して、シーケンス番号（ＳＮ）ステータス転送メッセージ、または、ベアラデータメッセージを前記ターゲット基地局に送信する手段をさらに具備する請求項２８記載の装置。
【請求項３３】
前記ハンドオーバー実行メッセージを受信することに応答して、前記ワイヤレスデバイスへの送信を停止する手段をさらに具備する請求項２８記載の装置。
【請求項３４】
ソース基地局におけるワイヤレス通信の装置において、
ワイヤレスデバイスから、前記ワイヤレスデバイスのデュアルリンクハンドオーバー能力の表示を受信する手段と、
ターゲット基地局がデュアルリンクハンドオーバーをサポートしないことを決定する手段と、
前記ターゲット基地局がデュアルリンクハンドオーバーをサポートしないという決定に少なくとも部分的に基づいて、前記ワイヤレスデバイスの前記ターゲット基地局へのハンドオーバーに関係付けられている接続再コンフィギュレーションメッセージの送信を止める手段とを具備する装置。
【請求項３５】
ユーザ機器（ＵＥ）のためのワイヤレス通信の装置において、
プロセッサと、
前記プロセッサと電子通信するメモリと、
前記メモリ中に記憶されている命令とを具備し、
前記命令は、前記装置に、
前記ＵＥによって、ソース基地局からの第１のデータ送信を受信させ、前記ＵＥは、媒体アクセス制御（ＭＡＣ）コンフィギュレーション、無線リンク制御（ＲＬＣ）コンフィギュレーション、および、パケットデータ収束プロトコル（ＰＤＣＰ）コンフィギュレーションを有し、
前記ソース基地局からターゲット基地局へのハンドオーバーに関係付けられている接続再コンフィギュレーションメッセージを受信させ、
前記接続再コンフィギュレーションメッセージを受信させることに少なくとも部分的に基づいて、前記ターゲット基地局とのアクセス手順を実行させ、前記ＵＥは、前記接続再コンフィギュレーションメッセージを受信した後、前記ソース基地局からのデータ送信を受信でき、
前記アクセス手順を実行させることに少なくとも部分的に基づいて、前記ＭＡＣコンフィギュレーションをリセットさせ、前記ＲＬＣコンフィギュレーションをリセットさせ、または、前記ＰＤＣＰコンフィギュレーションを再確立させ、または、これらの任意の組み合わせをさせるように、前記プロセッサによって実行可能である装置。
【請求項３６】
前記命令は、前記装置に、
前記接続再コンフィギュレーションメッセージを受信した後、前記ソース基地局からの第２のデータ送信を受信させるように、前記プロセッサによって実行可能である請求項３５記載の装置。
【請求項３７】
前記命令は、前記装置に、
デュアルリンクハンドオーバー能力の表示を前記ソース基地局に送信させ、
前記表示に少なくとも部分的に基づいて、前記第２のデータ送信を受信させるように、前記プロセッサによって実行可能である請求項３６記載の装置。
【請求項３８】
前記デュアルリンクハンドオーバー能力は、短い待ち時間能力に関係付けられている請求項３７記載の装置。
【請求項３９】
前記命令は、前記装置に、
前記リセットされたＭＡＣコンフィギュレーション、前記リセットされたＲＬＣコンフィギュレーション、前記再確立されたＰＤＣＰコンフィギュレーション、または、これらの任意の組み合わせに少なくとも部分的に基づいて、前記ターゲット基地局からの後続データ送信を受信させるように、前記プロセッサによって実行可能である請求項３６記載の装置。
【請求項４０】
前記第２のデータ送信および前記後続データ送信は、同じＲＬＣ／ＰＤＣＰスタックを使用する請求項３９記載の装置。
【請求項４１】
前記命令は、前記装置に、
前記ＭＡＣコンフィギュレーションをリセットさせ、前記ＲＬＣコンフィギュレーションをリセットさせ、または、前記ＰＤＣＰコンフィギュレーションを再確立させ、または、これらの任意の組み合わせをさせるより前に、前記ターゲット基地局からの第３のデータ送信を受信させるように、前記プロセッサによって実行可能である請求項３６記載の装置。
【請求項４２】
前記第３のデータ送信は、ソース基地局暗号化送信である請求項４１記載の装置。
【請求項４３】
前記第３のデータ送信は、前記ソース基地局からの前記第２のデータ送信と同じ論理チャネルに対応する請求項４１記載の装置。
【請求項４４】
前記命令は、前記装置に、
前記アクセス手順が成功したか否かを決定させるように、前記プロセッサによって実行可能であり、
前記装置に、前記ＭＡＣコンフィギュレーションをリセットさせ、前記ＲＬＣコンフィギュレーションをリセットさせ、または、前記ＰＤＣＰコンフィギュレーションを再確立させ、または、これらの任意の組み合わせをさせるように、前記プロセッサによって実行可能な命令は、前記装置に、アクセス手順が成功したという決定に少なくとも部分的に基づいて、前記ＭＡＣコンフィギュレーションをリセットさせ、前記ＲＬＣコンフィギュレーションをリセットさせ、または、前記ＰＤＣＰコンフィギュレーションを再確立させ、または、これらの任意の組み合わせをさせるように、前記プロセッサによって実行可能な命令を含む請求項３５記載の装置。
【請求項４５】
前記装置に、前記アクセス手順が成功したか否かを決定させるように、前記プロセッサによって実行可能な命令は、前記装置に、前記ターゲット基地局からコンテンション解消メッセージを受信させるように、前記プロセッサによって実行可能な命令を含む請求項４４記載の装置。
【請求項４６】
前記命令は、前記装置に、
前記接続再コンフィギュレーションメッセージを受信させることに少なくとも部分的に基づいて、無線リンクモニタリング（ＲＬＭ）手順を抑制させるように、前記プロセッサによって実行可能である請求項３５記載の装置。
【請求項４７】
ソース基地局におけるワイヤレス通信の装置において、
プロセッサと、
前記プロセッサと電子通信するメモリと、
前記メモリ中に記憶されている命令とを具備し、
前記命令は、前記装置に、
前記ワイヤレスデバイスのターゲット基地局へのハンドオーバーに関係付けられている接続再コンフィギュレーションメッセージをワイヤレスデバイスに送らせ、
前記接続再コンフィギュレーションメッセージを送った後、データ送信を前記ワイヤレスデバイスに送らせ、
前記ワイヤレスデバイスが前記ターゲット基地局に対するアクセス手順の実行に成功した後、ハンドオーバー実行メッセージを前記ターゲット基地局、または、前記ワイヤレスデバイスから受信させるように、前記プロセッサによって実行可能である装置。
【請求項４８】
前記命令は、前記装置に、
前記ワイヤレスデバイスから、前記ワイヤレスデバイスのデュアルリンクハンドオーバー能力の表示を受信させ、
前記表示に少なくとも部分的に基づいて、前記データ送信を送らせるように、前記プロセッサによって実行可能である請求項４７記載の装置。
【請求項４９】
前記デュアルリンクハンドオーバー能力は、短い待ち時間能力に関係付けられている請求項４８記載の装置。
【請求項５０】
前記命令は、前記装置に、
前記デュアルリンクハンドオーバー能力の表示を前記ターゲット基地局に送らせるように、前記プロセッサによって実行可能である請求項４８記載の装置。
【請求項５１】
前記命令は、前記装置に、
前記ハンドオーバー実行メッセージを受信することに応答して、前記ワイヤレスデバイスへの送信を停止させるように、前記プロセッサによって実行可能である請求項４８記載の装置。
【請求項５２】
前記命令は、前記装置に、
前記ハンドオーバー実行メッセージに応答して、シーケンス番号（ＳＮ）ステータス転送メッセージ、または、ベアラデータメッセージを前記ターゲット基地局に送信させるように、前記プロセッサによって実行可能である請求項４７記載の装置。
【請求項５３】
ソース基地局におけるワイヤレス通信の装置において、
プロセッサと、
前記プロセッサと電子通信するメモリと、
前記メモリ中に記憶されている命令とを具備し、
前記命令は、前記装置に、
ワイヤレスデバイスから、前記ワイヤレスデバイスのデュアルリンクハンドオーバー能力の表示を受信させ、
ターゲット基地局がデュアルリンクハンドオーバーをサポートしないことを決定させ、
前記ターゲット基地局がデュアルリンクハンドオーバーをサポートしないという決定に少なくとも部分的に基づいて、前記ワイヤレスデバイスの前記ターゲット基地局へのハンドオーバーに関係付けられている接続再コンフィギュレーションメッセージの送信を止めさせるように、前記プロセッサによって実行可能である装置。
【請求項５４】
ユーザ機器（ＵＥ）のためのワイヤレス通信のためのコードを記憶している非一時的コンピュータ読取可能媒体において、前記コードは、
前記ＵＥによって、ソース基地局からの第１のデータ送信を受信し、前記ＵＥは、媒体アクセス制御（ＭＡＣ）コンフィギュレーション、無線リンク制御（ＲＬＣ）コンフィギュレーション、および、パケットデータ収束プロトコル（ＰＤＣＰ）コンフィギュレーションを有するようにと、
前記ソース基地局からターゲット基地局へのハンドオーバーに関係付けられている接続再コンフィギュレーションメッセージを受信するようにと、
前記接続再コンフィギュレーションメッセージを受信することに少なくとも部分的に基づいて、前記ターゲット基地局とのアクセス手順を実行し、前記ＵＥは、前記接続再コンフィギュレーションメッセージを受信した後、前記ソース基地局からのデータ送信を受信できるようにと、
前記アクセス手順を実行することに少なくとも部分的に基づいて、前記ＭＡＣコンフィギュレーションをリセットするように、前記ＲＬＣコンフィギュレーションをリセットするように、または、前記ＰＤＣＰコンフィギュレーションを再確立するように、または、これらの任意の組み合わせをするように実行可能な命令を含む非一時的コンピュータ読取可能媒体。
【請求項５５】
ソース基地局におけるワイヤレス通信のためのコードを記憶している非一時的コンピュータ読取可能媒体において、前記コードは、
前記ソース基地局によって、前記ワイヤレスデバイスのターゲット基地局へのハンドオーバーに関係付けられている接続再コンフィギュレーションメッセージをワイヤレスデバイスに送るようにと、
前記接続再コンフィギュレーションメッセージを送った後、データ送信を前記ワイヤレスデバイスに送るようにと、
前記ワイヤレスデバイスが前記ターゲット基地局に対するアクセス手順の実行に成功した後、ハンドオーバー実行メッセージを前記ターゲット基地局、または、前記ワイヤレスデバイスから受信するように実行可能な命令を含む非一時的コンピュータ読取可能媒体。
【請求項５６】
ソース基地局におけるワイヤレス通信のためのコードを記憶している非一時的コンピュータ読取可能媒体において、前記コードは、
ワイヤレスデバイスから、前記ワイヤレスデバイスのデュアルリンクハンドオーバー能力の表示を受信するようにと、
ターゲット基地局がデュアルリンクハンドオーバーをサポートしないことを決定するようにと、
前記ターゲット基地局がデュアルリンクハンドオーバーをサポートしないという決定に少なくとも部分的に基づいて、前記ワイヤレスデバイスの前記ターゲット基地局へのハンドオーバーに関係付けられている接続再コンフィギュレーションメッセージの送信を止めるように実行可能な命令を含む非一時的コンピュータ読取可能媒体。
【手続補正２】
【補正対象書類名】明細書
【補正対象項目名】０１５４
【補正方法】変更
【補正の内容】
【０１５４】
［０１６２］
ここでの説明は、当業者が本開示を製造または使用することを可能にするように提供されている。本開示に対するさまざまな修正は、当業者にとって容易に明らかとなり、ここで定義される一般的な原理は、本開示の範囲から逸脱することなく他のバリエーションに適用してもよい。したがって、本開示は、ここで説明された例および設計に限定されず、ここで開示された原理および新規な特徴と一致する最も広い範囲を与えられる。
以下に、本願出願の当初の特許請求の範囲に記載された発明を付記する。
［１］  ワイヤレス通信の方法において、
ソース基地局からターゲット基地局へのハンドオーバーに関係付けられている接続再コンフィギュレーションメッセージを受信することと、
前記接続再コンフィギュレーションメッセージを受信した後、前記ソース基地局からのデータ送信を受信することと、
前記接続再コンフィギュレーションメッセージを受信することに少なくとも部分的に基づいて、前記ターゲット基地局とのアクセス手順を実行することと、
前記アクセス手順が成功したか否かを決定することと、
成功したアクセス手順に少なくとも部分的に基づいて、媒体アクセス制御（ＭＡＣ）コンフィギュレーションをリセットすることと、無線リンク制御（ＲＬＣ）コンフィギュレーションをリセットすることと、または、パケットデータ収束プロトコル（ＰＤＣＰ）コンフィギュレーションを再確立することと、または、これらの任意の組み合わせをすることとを含む方法。
［２］  デュアルリンクハンドオーバー能力の表示を前記ソース基地局に送信することをさらに含み、
前記データ送信は、前記表示に少なくとも部分的に基づいて受信される［１］記載の方法。
［３］  前記デュアルリンクハンドオーバー能力は、短い待ち時間能力に関係付けられている［２］記載の方法。
［４］  前記リセットされたＭＡＣコンフィギュレーション、前記リセットされたＲＬＣコンフィギュレーション、前記再確立されたＰＤＣＰコンフィギュレーション、または、これらの任意の組み合わせに少なくとも部分的に基づいて、前記ターゲット基地局からの後続データ送信を受信することをさらに含む［１］記載の方法。
［５］  前記データ送信および前記後続データ送信は、同じＲＬＣ／ＰＤＣＰスタックを使用する［４］記載の方法。
［６］  前記ＭＡＣコンフィギュレーションをリセットすること、前記ＲＬＣコンフィギュレーションをリセットすること、または、前記ＰＤＣＰコンフィギュレーションを再確立すること、または、これらの任意の組み合わせをすることより前に、前記ターゲット基地局からの第２のデータ送信を受信することをさらに含む［１］記載の方法。
［７］  前記第２のデータ送信は、ソース基地局暗号化送信である［６］記載の方法。
［８］  前記第２のデータ送信は、前記ソース基地局からの前記データ送信と同じ論理チャネルに対応する［６］記載の方法。
［９］  前記接続再コンフィギュレーションメッセージを受信することに少なくとも部分的に基づいて、無線リンクモニタリング（ＲＬＭ）手順を抑制することをさらに含む［１］記載の方法。
［１０］  前記アクセス手順が成功しなかったという決定に少なくとも部分的に基づいて、前記ソース基地局との前記ＲＬＭ手順を再開することをさらに含む［９］記載の方法。
［１１］  前記アクセス手順が成功したという決定に少なくとも部分的に基づいて、前記ターゲット基地局との前記ＲＬＭ手順を再開することをさらに含む［９］記載の方法。
［１２］  前記アクセス手順が成功しなかったという決定に少なくとも部分的に基づいて、前記接続再コンフィギュレーションメッセージをパージすることと、
前記ソース基地局との通信を継続することとをさらに含む［１］記載の方法。
［１３］  前記アクセス手順が成功したという決定は、前記ターゲット基地局からコンテンション解消メッセージを受信することを含む［１］記載の方法。
［１４］  ソース基地局におけるワイヤレス通信の方法において、
前記ソース基地局によって、ワイヤレスデバイスのハンドオーバーに関係付けられている接続再コンフィギュレーションメッセージをターゲット基地局に送ることと、
前記接続再コンフィギュレーションメッセージを送った後、データ送信を前記ワイヤレスデバイスに送ることと、
前記ワイヤレスデバイスが前記ターゲット基地局に対するアクセス手順の実行に成功した後、前記ターゲット基地局または前記ワイヤレスデバイスからハンドオーバー実行メッセージを受信することとを含む方法。
［１５］  前記ワイヤレスデバイスからデュアルリンクハンドオーバー能力の表示を受信することをさらに含み、前記データ送信は、前記表示に少なくとも部分的に基づいて送られる［１４］記載の方法。
［１６］  前記デュアルリンクハンドオーバー能力は、短い待ち時間能力に関係付けられている［１５］記載の方法。
［１７］  前記デュアルリンクハンドオーバー能力の表示を前記ターゲット基地局に送ることをさらに含む［１５］記載の方法。
［１８］  前記ハンドオーバー実行メッセージを受信することに応答して、前記ワイヤレスデバイスへの送信を停止することをさらに含む［１４］記載の方法。
［１９］  前記ハンドオーバー実行メッセージに応答して、シーケンス番号（ＳＮ）ステータス転送メッセージまたはベアラデータメッセージを前記ターゲット基地局に送信することをさらに含む［１４］記載の方法。
［２０］  ソース基地局におけるワイヤレス通信の方法において、
ワイヤレスデバイスからデュアルリンクハンドオーバー能力の表示を受信することと、
ターゲット基地局がデュアルリンクハンドオーバーをサポートしないと決定することと、
前記ターゲット基地局がデュアルリンクハンドオーバーをサポートしないという決定に少なくとも部分的に基づいて、前記ワイヤレスデバイスのハンドオーバーに関係付けられている接続再コンフィギュレーションメッセージの前記ターゲット基地局への送信を止めることとを含む方法。
［２１］  ターゲット基地局におけるワイヤレス通信の方法において、
前記ターゲット基地局によって、ソース基地局からハンドオーバー準備要求を受信することと、
ワイヤレスデバイスからアクセス要求を受信することと、
前記アクセス要求に少なくとも部分的に基づいて、前記ワイヤレスデバイスから接続再コンフィギュレーション完了メッセージを受信することと、
前記接続再コンフィギュレーション完了メッセージに少なくとも部分的に基づいて、ハンドオーバー実行メッセージを前記ソース基地局に送信することとを含む方法。
［２２］  前記ソース基地局からデュアルリンクハンドオーバー能力の表示を受信することをさらに含み、データ送信は、前記表示に少なくとも部分的に基づいて送られる［２１］記載の方法。
［２３］  前記デュアルリンクハンドオーバー能力は、短い待ち時間能力に関係付けられている［２２］記載の方法。
［２４］  前記ハンドオーバー実行メッセージに応答して、前記ソース基地局からシーケンス番号（ＳＮ）ステータス転送メッセージまたはベアラデータメッセージを受信することをさらに含む［２１］記載の方法。
［２５］  前記ＳＮステータス転送メッセージまたは前記ベアラデータメッセージを受信することに少なくとも部分的に基づいて、データ送信を前記ワイヤレスデバイスに送ることをさらに含む［２４］記載の方法。
［２６］  前記接続再コンフィギュレーション完了メッセージを受信するより前に、ソース基地局暗号化送信を前記ワイヤレスデバイスに送ることをさらに含む［２１］記載の方法。
［２７］  ワイヤレス通信のための装置において、
ソース基地局からターゲット基地局へのハンドオーバーに関係付けられている接続再コンフィギュレーションメッセージを受信する手段と、
前記接続再コンフィギュレーションメッセージを受信した後、前記ソース基地局からのデータ送信を受信する手段と、
前記接続再コンフィギュレーションメッセージを受信することに少なくとも部分的に基づいて、前記ターゲット基地局とのアクセス手順を実行する手段と、
前記アクセス手順が成功したか否かを決定する手段と、
成功したアクセス手順に少なくとも部分的に基づいて、媒体アクセス制御（ＭＡＣ）コンフィギュレーションをリセットし、無線リンク制御（ＲＬＣ）コンフィギュレーションをリセットし、または、パケットデータ収束プロトコル（ＰＤＣＰ）コンフィギュレーションを再確立し、または、これらの任意の組み合わせをする手段とを具備する装置。
［２８］  デュアルリンクハンドオーバー能力の表示を前記ソース基地局に送信する手段をさらに具備し、前記データ送信は、前記表示に少なくとも部分的に基づいて受信される［２７］記載の装置。
［２９］  前記デュアルリンクハンドオーバー能力は、短い待ち時間能力に関係付けられている［２８］記載の装置。
［３０］  前記リセットされたＭＡＣコンフィギュレーション、前記リセットされたＲＬＣコンフィギュレーション、前記再確立されたＰＤＣＰコンフィギュレーション、または、これらの任意の組み合わせに少なくとも部分的に基づいて、前記ターゲット基地局からの後続データ送信を受信する手段をさらに具備する［２７］記載の装置。
［３１］  前記データ送信および前記後続データ送信は、同じＲＬＣ／ＰＤＣＰスタックを使用する［３０］記載の装置。
［３２］  ソース基地局におけるワイヤレス通信のための装置において、
前記ソース基地局によって、ワイヤレスデバイスのハンドオーバーに関係付けられている接続再コンフィギュレーションメッセージをターゲット基地局に送る手段と、
前記接続再コンフィギュレーションメッセージを送った後、データ送信を前記ワイヤレスデバイスに送る手段と、
前記ワイヤレスデバイスが前記ターゲット基地局に対するアクセス手順の実行に成功した後、前記ターゲット基地局または前記ワイヤレスデバイスからハンドオーバー実行メッセージを受信する手段とを具備する装置。
［３３］  前記ワイヤレスデバイスからデュアルリンクハンドオーバー能力の表示を受信する手段をさらに具備し、前記データ送信は、前記表示に少なくとも部分的に基づいて送られる［３２］記載の装置。
［３４］  前記デュアルリンクハンドオーバー能力は、短い待ち時間能力に関係付けられている［３３］記載の装置。
［３５］  前記デュアルリンクハンドオーバー能力の表示を前記ターゲット基地局に送る手段をさらに具備する［３３］記載の装置。
［３６］  前記ハンドオーバー実行メッセージに応答して、シーケンス番号（ＳＮ）ステータス転送メッセージまたはベアラデータメッセージを前記ターゲット基地局に送信する手段をさらに具備する［３２］記載の装置。
［３７］  前記ハンドオーバー実行メッセージを受信することに応答して、前記ワイヤレスデバイスへの送信を停止する手段をさらに具備する［３２］記載の装置。
［３８］  ソース基地局におけるワイヤレス通信のための装置において、
ワイヤレスデバイスからデュアルリンクハンドオーバー能力の表示を受信する手段と、
ターゲット基地局がデュアルリンクハンドオーバーをサポートしないと決定する手段と、
前記ターゲット基地局がデュアルリンクハンドオーバーをサポートしないという決定に少なくとも部分的に基づいて、前記ワイヤレスデバイスのハンドオーバーに関係付けられている接続再コンフィギュレーションメッセージの前記ターゲット基地局への送信を止める手段とを具備する装置。
［３９］  ターゲット基地局におけるワイヤレス通信のための装置において、
前記ターゲット基地局によって、ソース基地局からハンドオーバー準備要求を受信する手段と、
ワイヤレスデバイスからアクセス要求を受信する手段と、
前記アクセス要求に少なくとも部分的に基づいて、前記ワイヤレスデバイスから接続再コンフィギュレーション完了メッセージを受信する手段と、
前記接続再コンフィギュレーション完了メッセージに少なくとも部分的に基づいて、ハンドオーバー実行メッセージを前記ソース基地局に送信する手段とを具備する装置。
［４０］  ハンドオーバー能力の表示を前記ソース基地局に送信する手段をさらに具備する［３９］記載の装置。
［４１］  前記ソース基地局からデュアルリンクハンドオーバー能力の表示を受信する手段をさらに具備する［３９］記載の装置。
［４２］  ワイヤレス通信のための装置において、
プロセッサと、
前記プロセッサと電子通信するメモリと、
前記メモリ中に記憶されている命令とを具備し、
前記命令は、前記装置に、
ソース基地局からターゲット基地局へのハンドオーバーに関係付けられている接続再コンフィギュレーションメッセージを受信させ、
前記接続再コンフィギュレーションメッセージを受信させた後、前記ソース基地局からのデータ送信を受信させ、
前記接続再コンフィギュレーションメッセージを受信させることに少なくとも部分的に基づいて、前記ターゲット基地局とのアクセス手順を実行させ、
前記アクセス手順が成功したか否かを決定させ、
成功したアクセス手順に少なくとも部分的に基づいて、媒体アクセス制御（ＭＡＣ）コンフィギュレーションをリセットさせ、無線リンク制御（ＲＬＣ）コンフィギュレーションをリセットさせ、または、パケットデータ収束プロトコル（ＰＤＣＰ）コンフィギュレーションを再確立させ、または、これらの任意の組み合わせをさせるように、前記プロセッサによって実行可能である装置。
［４３］  前記命令は、前記装置に、
デュアルリンクハンドオーバー能力の表示を前記ソース基地局に送信させ、
前記表示に少なくとも部分的に基づいて、前記データ送信を受信させるように、前記プロセッサによって実行可能である［４２］記載の装置。
［４４］  前記デュアルリンクハンドオーバー能力は、短い待ち時間能力に関係付けられている［４３］記載の装置。
［４５］  前記命令は、前記装置に、
前記リセットされたＭＡＣコンフィギュレーション、前記リセットされたＲＬＣコンフィギュレーション、前記再確立されたＰＤＣＰコンフィギュレーション、または、これらの任意の組み合わせに少なくとも部分的に基づいて、前記ターゲット基地局からの後続データ送信を受信させるように、前記プロセッサによって実行可能である［４２］記載の装置。
［４６］  前記データ送信および前記後続データ送信は、同じＲＬＣ／ＰＤＣＰスタックを使用する［４５］記載の装置。
［４７］  前記命令は、前記装置に、
前記ＭＡＣコンフィギュレーションをリセットさせ、前記ＲＬＣコンフィギュレーションをリセットさせ、または、前記ＰＤＣＰコンフィギュレーションを再確立させ、または、これらの任意の組み合わせをさせるより前に、前記ターゲット基地局からの第２のデータ送信を受信させるように、前記プロセッサによって実行可能である［４２］記載の装置。
［４８］  前記第２のデータ送信は、ソース基地局暗号化送信である［４７］記載の装置。
［４９］  前記第２のデータ送信は、前記ソース基地局からの前記データ送信と同じ論理チャネルに対応する［４７］記載の装置。
［５０］  前記命令は、前記装置に、
前記接続再コンフィギュレーションメッセージを受信させることに少なくとも部分的に基づいて、無線リンクモニタリング（ＲＬＭ）手順を抑制させるように、前記プロセッサによって実行可能である［４２］記載の装置。
［５１］  前記命令は、前記装置に、
前記ターゲット基地局からコンテンション解消メッセージを受信させ、
前記コンテンション解消メッセージに少なくとも部分的に基づいて、前記アクセス手順が成功したと決定させるように、前記プロセッサによって実行可能である［４２］記載の装置。
［５２］  ソース基地局におけるワイヤレス通信のための装置において、
プロセッサと、
前記プロセッサと電子通信するメモリと、
前記メモリ中に記憶されている命令とを具備し、
前記命令は、前記装置に、
ワイヤレスデバイスのハンドオーバーに関係付けられている接続再コンフィギュレーションメッセージをターゲット基地局に送らせ、
前記接続再コンフィギュレーションメッセージを送らせた後、データ送信を前記ワイヤレスデバイスに送らせ、
前記ワイヤレスデバイスが前記ターゲット基地局に対するアクセス手順の実行に成功した後、前記ターゲット基地局または前記ワイヤレスデバイスからハンドオーバー実行メッセージを受信させるように、前記プロセッサによって実行可能である装置。
［５３］  前記命令は、前記装置に、
前記ワイヤレスデバイスからデュアルリンクハンドオーバー能力の表示を受信させ、
前記表示に少なくとも部分的に基づいて、前記データ送信を送らせるように、前記プロセッサによって実行可能である［５２］記載の装置。
［５４］  前記デュアルリンクハンドオーバー能力は、短い待ち時間能力に関係付けられている［５３］記載の装置。
［５５］  前記命令は、前記装置に、
前記デュアルリンクハンドオーバー能力の表示を前記ターゲット基地局に送らせるように、前記プロセッサによって実行可能である［５３］記載の装置。
［５６］  前記命令は、前記装置に、
前記ハンドオーバー実行メッセージを受信させることに応答して、前記ワイヤレスデバイスへの送信を停止させるように、前記プロセッサによって実行可能である［５３］記載の装置。
［５７］  前記命令は、
前記ハンドオーバー実行メッセージに応答して、シーケンス番号（ＳＮ）ステータス転送メッセージまたはベアラデータメッセージを前記ターゲット基地局に送信させるように動作可能である［５２］記載の装置。
［５８］  ソース基地局におけるワイヤレス通信のための装置において、
プロセッサと、
前記プロセッサと電子通信するメモリと、
前記メモリ中に記憶されている命令とを具備し、
前記命令は、前記装置に、
ワイヤレスデバイスからデュアルリンクハンドオーバー能力の表示を受信させ、
ターゲット基地局がデュアルリンクハンドオーバーをサポートしないと決定させ、
前記ターゲット基地局がデュアルリンクハンドオーバーをサポートしないという決定に少なくとも部分的に基づいて、前記ワイヤレスデバイスのハンドオーバーに関係付けられている接続再コンフィギュレーションメッセージの前記ターゲット基地局への送信を止めさせるように、前記プロセッサによって実行可能である装置。
［５９］  ターゲット基地局におけるワイヤレス通信のための装置において、
プロセッサと、
前記プロセッサと電子通信するメモリと、
前記メモリ中に記憶されている命令とを具備し、
前記命令は、前記装置に、
ソース基地局からハンドオーバー準備要求を受信させ、
ワイヤレスデバイスからアクセス要求を受信させ、
前記アクセス要求に少なくとも部分的に基づいて、前記ワイヤレスデバイスから接続再コンフィギュレーション完了メッセージを受信させ、
前記接続再コンフィギュレーション完了メッセージに少なくとも部分的に基づいて、ハンドオーバー実行メッセージを前記ソース基地局に送信させるように、前記プロセッサによって実行可能である装置。
［６０］  前記命令は、前記装置に、
ハンドオーバー能力の表示を前記ソース基地局に送信させるように、前記プロセッサによって実行可能である［５９］記載の装置。
［６１］  前記命令は、前記装置に、
前記ソース基地局からデュアルリンクハンドオーバー能力の表示を受信させるように、前記プロセッサによって実行可能である［５９］記載の装置。
［６２］  前記デュアルリンクハンドオーバー能力は、短い待ち時間能力に関係付けられている［６１］記載の装置。
［６３］  前記命令は、前記装置に、
前記ハンドオーバー実行メッセージに応答して、前記ソース基地局からシーケンス番号（ＳＮ）ステータス転送メッセージまたはベアラデータメッセージを受信させるように、前記プロセッサによって実行可能である［５９］記載の装置。
［６４］  前記命令は、前記装置に、
前記ＳＮステータス転送メッセージまたは前記ベアラデータメッセージを受信させることに少なくとも部分的に基づいて、データ送信を前記ワイヤレスデバイスに送らせるように、前記プロセッサによって実行可能である［６３］記載の装置。
［６５］  前記命令は、前記装置に、
前記接続再コンフィギュレーション完了メッセージを受信させるより前に、ソース基地局暗号化送信を前記ワイヤレスデバイスに送らせるように、前記プロセッサによって実行可能である［５９］記載の装置。
［６６］  ワイヤレス通信のためのコードを記憶している非一時的コンピュータ読取可能媒体において、前記コードは、
ソース基地局からターゲット基地局へのハンドオーバーに関係付けられている接続再コンフィギュレーションメッセージを受信するようにと、
前記接続再コンフィギュレーションメッセージを受信した後、前記ソース基地局からのデータ送信を受信するようにと、
前記接続再コンフィギュレーションメッセージを受信することに少なくとも部分的に基づいて、前記ターゲット基地局とのアクセス手順を実行するようにと、
前記アクセス手順が成功したか否かを決定するようにと、
成功したアクセス手順に少なくとも部分的に基づいて、媒体アクセス制御（ＭＡＣ）コンフィギュレーションをリセットするように、無線リンク制御（ＲＬＣ）コンフィギュレーションをリセットするように、または、パケットデータ収束プロトコル（ＰＤＣＰ）コンフィギュレーションを再確立するように、または、これらの任意の組み合わせをするように実行可能な命令を含む非一時的コンピュータ読取可能媒体。
［６７］  ソース基地局におけるワイヤレス通信のためのコードを記憶している非一時的コンピュータ読取可能媒体において、前記コードは、
前記ソース基地局によって、ワイヤレスデバイスのハンドオーバーに関係付けられている接続再コンフィギュレーションメッセージをターゲット基地局に送るようにと、
前記接続再コンフィギュレーションメッセージを送った後、データ送信を前記ワイヤレスデバイスに送るようにと、
前記ワイヤレスデバイスが前記ターゲット基地局に対するアクセス手順の実行に成功した後、前記ターゲット基地局または前記ワイヤレスデバイスからハンドオーバー実行メッセージを受信するように実行可能な命令を含む非一時的コンピュータ読取可能媒体。
［６８］  ソース基地局におけるワイヤレス通信のためのコードを記憶している非一時的コンピュータ読取可能媒体において、前記コードは、
ワイヤレスデバイスからデュアルリンクハンドオーバー能力の表示を受信するようにと、
ターゲット基地局がデュアルリンクハンドオーバーをサポートしないと決定するようにと、
前記ターゲット基地局がデュアルリンクハンドオーバーをサポートしないという決定に少なくとも部分的に基づいて、前記ワイヤレスデバイスのハンドオーバーに関係付けられている接続再コンフィギュレーションメッセージの前記ターゲット基地局への送信を止めるように実行可能な命令を含む非一時的コンピュータ読取可能媒体。
［６９］  ターゲット基地局におけるワイヤレス通信のためのコードを記憶している非一時的コンピュータ読取可能媒体において、前記コードは、
前記ターゲット基地局によって、ソース基地局からハンドオーバー準備要求を受信するようにと、
ワイヤレスデバイスからアクセス要求を受信するようにと、
前記アクセス要求に少なくとも部分的に基づいて、前記ワイヤレスデバイスから接続再コンフィギュレーション完了メッセージを受信するようにと、
前記接続再コンフィギュレーション完了メッセージに少なくとも部分的に基づいて、ハンドオーバー実行メッセージを前記ソース基地局に送信するように実行可能な命令を含む非一時的コンピュータ読取可能媒体。
【外国語明細書】
2020010355000001.pdf